【事件の表示】
　特許第６１０２３１２号発明「画像表示装置」の特許異議申立事件について、次のとおり決定する。
【結　論】
　特許第６１０２３１２号の特許請求の範囲を訂正請求書に添付された訂正特許請求の範囲のとおり、訂正後の請求項〔１−８〕について訂正することを認める。
　特許第６１０２３１２号の請求項１ないし４、６、７に係る特許を取り消す。
　同請求項５、８に係る特許を維持する。
【理　由】
第１　手続の経緯
　本件特許第６１０２３１２号の請求項１−４に係る特許についての出願（特願２０１３−２８０５９号）は、平成２５年２月１５日に出願されたものであって、平成２９年３月１０日に設定登録がなされ、平成２９年３月２９日に特許掲載公報が発行され、その後、平成２９年９月２８日に、特許異議申立人鈴木美香により、その請求項１〜４に係る特許に対して特許異議の申立てがなされたものである。その後の手続の経緯は以下のとおりである。
　　
　平成２９年１２月２７日：取消理由通知（平成３０年１月９日発送）　 
　平成３０年　３月　９日：訂正請求書・意見書（特許権者）　 
　平成３０年　５月１８日：意見書（特許異議申立人）　 
　平成３０年　８月２７日：取消理由通知（同年８月３０日発送）　 
　平成３０年１０月２９日：訂正請求書・意見書（特許権者）　 
　平成３０年１２月２０日：意見書（特許異議申立人） 
　平成３１年　３月２９日：取消理由通知（予告　同年４月４日発送）
　令和　１年　６月　３日：訂正請求書・意見書（特許権者）
　令和　１年　７月２９日：意見書（特許異議申立人）
第２　訂正の適否　
１　訂正の内容　
　令和１年６月３日付けの訂正請求（以下「本件訂正請求」という。）による訂正の内容は、以下のとおりである。なお、平成３０年３月９日付けの訂正請求、平成３０年１０月２９日付けの訂正請求は、特許法第１２０条の５第７項の規定により、取り下げられたものとみなす。
　
　特許請求の範囲の請求項１−４に、　
「【請求項１】
（１）連続的な発光スペクトルを有する白色光源、
（２）画像表示セル、
（３）前記画像表示セルより視認側に配置される偏光子、
（４）前記偏光子より視認側に配置される、透明導電層が積層された基材フィルム、及び
（５）前記基材フィルムよりも視認側に配置される飛散防止フィルム、
を有し、
前記基材フィルム及び前記飛散防止フィルムは、いずれも３０００ｎｍ以上１５００００ｎｍ以下のリタデーションを有する配向フィルムであり、
前記基材フィルム及び前記飛散防止フィルムの少なくとも一方は、リタデーション（Ｒｅ）と厚さ方向のリタデーション（Ｒｔｈ）の比（Ｒｅ／Ｒｔｈ）が０．２以上２．０以下であり、
前記基材フィルム及び前記飛散防止フィルムは、それらの配向主軸が互いに略平行であるか、又は互いに異なるリタデーションを有し、その差が１８００ｎｍ以上である、
画像表示装置。
【請求項２】
（１）連続的な発光スペクトルを有する白色光源、
（２）画像表示セル、
（３）前記画像表示セルより視認側に配置される偏光子、
（４）前記偏光子より視認側に配置される、透明導電層が積層された基材フィルム、及び
（５）前記基材フィルムよりも視認側に配置される飛散防止フィルム、
を有し、
前記基材フィルム及び前記飛散防止フィルムは、いずれも３０００ｎｍ以上１５００００ｎｍ以下のリタデーションを有する配向フィルムであり、
前記基材フィルム及び前記飛散防止フィルムは、互いに異なるリタデーションを有し、その差が１８００ｎｍ以上である、
画像表示装置。
【請求項３】
前記基材フィルム及び前記飛散防止フィルムのリタデーションの差が３５００ｎｍ以上である、請求項１又は２に記載の画像表示装置。
【請求項４】
前記連続的な発光スペクトルを有する白色光源が、白色発光ダイオードである、請求項１〜３のいずれかに記載の画像表示装置。」（以下、その順に「訂正前請求項１」等という。）
　
と記載されているのを、　
　
「【請求項１】
（１）連続的な発光スペクトルを有する白色光源、
（２）画像表示セル、
（３）前記画像表示セルより視認側に配置される偏光子、
（４）前記偏光子より視認側に配置される、透明導電層が積層された基材フィルム、及び
（５）前記基材フィルムよりも視認側に配置される飛散防止フィルム、
を有し、
前記基材フィルム及び前記飛散防止フィルムは、いずれも３０００ｎｍ以上１５００００ｎｍ以下のリタデーションを有する配向フィルムであり、
前記基材フィルム及び前記飛散防止フィルムの少なくとも一方は、リタデーション（Ｒｅ）と厚さ方向のリタデーション（Ｒｔｈ）の比（Ｒｅ/Ｒｔｈ）が０．２以上２．０以下であり、
前記基材フィルム及び前記飛散防止フィルムは
、互
９
あり
前記基材フィルムの配向主軸と前記偏光子の偏光軸とが形成する角は、４５度±３０度以下であり、
前記飛散防止フィルムの配向主軸と前記偏光子の偏光軸が形成する角は、４５度±３０度以下であり、
前記基材フィルムの配向主軸と前記飛散防止フィルムの配向主軸とが形成する角は、３０度以下である、
画像表示装置
（但し、前記基材フィルムの配向主軸と前記飛散防止フィルムの配向主軸とが形成する角が１度以下である画像表示装置を除く）
【請求項２】
（１）連続的な発光スペクトルを有する白色光源、
（２）画像表示セル、
（３）前記画像表示セルより視認側に配置される偏光子、
（４）前記偏光子より視認側に配置される、透明導電層が積層された基材フィルム、及び
（５）前記基材フィルムよりも視認側に配置される飛散防止フィルム、
を有し、
前記基材フィルム及び前記飛散防止フィルムは、いずれも３０００ｎｍ以上１５００００ｎｍ以下のリタデーションを有する配向フィルムであり、
前記基材フィルム及び前記飛散防止フィルムは、互いに異なるリタデーションを有し、その差が１
９
あり
前記基材フィルムの配向主軸と前記偏光子の偏光軸とが形成する角は、４５度±３０度以下であり、
前記飛散防止フィルムの配向主軸と前記偏光子の偏光軸が形成する角は、４５度±３０度以下であり、
前記基材フィルムの配向主軸と前記飛散防止フィルムの配向主軸とが形成する角は、３０度以下である、
画像表示装置
（但し、前記基材フィルムの配向主軸と前記飛散防止フィルムの配向主軸とが形成する角が３度以下である画像表示装置を除く）
【請求項３】
（１）連続的な発光スペクトルを有する白色光源、
（２）画像表示セル、
（３）前記画像表示セルより視認側に配置される偏光子、
（４）前記偏光子より視認側に配置される、透明導電層が積層された基材フィルム、及び（５）前記基材フィルムよりも視認側に配置される飛散防止フィルム、
を有し、
前記基材フィルム及び前記飛散防止フィルムは、いずれも３０００ｎｍ以上１５００００ｎｍ以下のリタデーションを有する配向フィルムであり、
前記基材フィルム及び前記飛散防止フィルムの少なくとも一方は、リタデーション（Ｒｅ）と厚さ方向のリタデーション（Ｒｔｈ）の比（Ｒｅ/Ｒｔｈ）が０．２以上２．０以下であり、
前記基材フィルム及び前記飛散防止フィルム
は、互いに異なるリタデーションを有し、その差が
り、
前記基材フィルムの配向主軸と前記偏光子の偏光軸とが形成する角は、４５度±３０度以下であり、
前記飛散防止フィルムの配向主軸と前記偏光子の偏光軸が形成する角は、４５度±３０度以下である、
画像表示装置（但し、前記基材フィルムの配向主軸と前記飛散防止フィルムの配向主軸とが形成する角が１度以下である画像表示装置、及び前記基材フィルムの配向主軸と前記飛散防止フィルムの配向主軸とが形成する角が９０度±１度以下である画像表示装置を除く）
【請求項４】
前記連続的な発光スペクトルを有する白色光源が、白色発光ダイオードである、請求項
１に
（但し、前記基材フィルムの配向主軸と前記飛散防止フィルムの配向主軸とが形成する角が５度以下である画像表示装置を除く）
【請求項５】
前記連続的な発光スペクトルを有する白色光源が、白色発光ダイオードである、請求項２に記載の画像表示装置（但し、前記基材フィルムの配向主軸と前記飛散防止フィルムの配向主軸とが形成する角が２０度以下である画像表示装置を除く）。
【請求項６】
（１）連続的な発光スペクトルを有する白色光源、
（２）画像表示セル、
（３）前記画像表示セルより視認側に配置される偏光子、
（４）前記偏光子より視認側に配置される、透明導電層が積層された基材フィルム、及び（５）前記基材フィルムよりも視認側に配置される飛散防止フィルム、
を有し、
前記基材フィルム及び前記飛散防止フィルムは、いずれも３０００ｎｍ以上１５００００ｎｍ以下のリタデーションを有する配向フィルムであり、
前記基材フィルム及び前記飛散防止フィルムは、互いに異なるリタデーションを有し、その差が３５００ｎｍ以上であり、
前記基材フィルムの配向主軸と前記偏光子の偏光軸とが形成する角は、４５度±３０度以下であり、
前記飛散防止フィルムの配向主軸と前記偏光子の偏光軸が形成する角は、４５度±３０度以下である、
画像表示装置（但し、前記基材フィルムの配向主軸と前記飛散防止フィルムの配向主軸とが形成する角が３度以下である画像表示装置、及び前記基材フィルムの配向主軸と前記飛散防止フィルムの配向主軸とが形成する角が９０度±３度以下である画像表示装置を除く）。
【請求項７】
前記連続的な発光スペクトルを有する白色光源が、白色発光ダイオードである、請求項３に記載の画像表示装置（但し、前記基材フィルムの配向主軸と前記飛散防止フィルムの配向主軸とが形成する角が５度以下である画像表示装置を除く）。
【請求項８】
前記連続的な発光スペクトルを有する白色光源が、白色発光ダイオードであり、　
前記基材フィルムの配向主軸と前記飛散防止フィルムの配向主軸とが形成する角は４５度以下である、請求項６に記載の画像表示装置（但し、前記基材フィルムの配向主軸と前記飛散防止フィルムの配向主軸とが形成する角が２０度以下である画像表示装置を除く）
　
に訂正することを求めるものであり、本件訂正請求は、以下の訂正事項からなる。
　
訂正事項１：請求項１を新たな請求項１にする訂正は、以下の（ア）〜（オ）の訂正事項からなり、請求項１を引用する請求項４についても同様に訂正する。
（ア）「前記基材フィルム及び前記飛散防止フィルムは、それらの配向主軸が互いに略平行であるか、又は互いに異なるリタデーションを有し、その差が１８００ｎｍ以上である」と特定するものを、「前記基材フィルム及び前記飛散防止フィルムは、互いに異なるリタデーションを有し、その差が１９００ｎｍ以上であり」にする訂正事項（以下「訂正事項１−１」という。）。
（イ）「前記基材フィルムの配向主軸と前記偏光子の偏光軸とが形成する角は、４５度±３０度以下であり」との特定事項を追加する訂正事項（以下「訂正事項１−２」という。）。
（ウ）「前記飛散防止フィルムの配向主軸と前記偏光子の偏光軸が形成する角は、４５度±３０度以下であり」との特定事項を追加する訂正事項（以下「訂正事項１−３」という。）。
（エ）「前記基材フィルムの配向主軸と前記飛散防止フィルムの配向主軸とが形成する角は、３０度以下である」との特定事項を追加する訂正事項（以下「訂正事項１−４」という。）。
（オ）「（但し、前記基材フィルムの配向主軸と前記飛散防止フィルムの配向主軸とが形成する角が１度以下である画像表示装置を除く）」との特定事項を追加する訂正事項（以下「訂正事項１−５」といい、「訂正事項１−１」乃至「訂正事項１−５」をまとめて「訂正事項１」という。）。
訂正事項２：請求項２を新たな請求項２にする訂正は、以下の（ア）〜（オ）の訂正事項からなり、新たな請求項２を引用する新たな請求項５についても同様に訂正する。
（ア）「前記基材フィルム及び前記飛散防止フィルムは、互いに異なるリタデーションを有し、その差が１８００ｎｍ以上である」と特定するものを、「前記基材フィルム及び前記飛散防止フィルムは、互いに異なるリタデーションを有し、その差が１９００ｎｍ以上であり」にする訂正事項（以下「訂正事項２−１」という。）。
（イ）「前記基材フィルムの配向主軸と前記偏光子の偏光軸とが形成する角は、４５度±３０度以下であり」との特定事項を追加する訂正事項（以下「訂正事項２−２」という。）。
（ウ）「前記飛散防止フィルムの配向主軸と前記偏光子の偏光軸が形成する角は、４５度±３０度以下であり」との特定事項を追加する訂正事項（以下「訂正事項２−３」という。）。
（エ）「前記基材フィルムの配向主軸と前記飛散防止フィルムの配向主軸とが形成する角は、３０度以下である」との特定事項を追加する訂正事項（以下「訂正事項２−４」という。）。
（オ）「（但し、前記基材フィルムの配向主軸と前記飛散防止フィルムの配向主軸とが形成する角が３度以下である画像表示装置を除く）」との特定事項を追加する訂正事項（以下「訂正事項２−５」といい、「訂正事項２−１」乃至「訂正事項２−５」をまとめて「訂正事項２」という。）。
訂正事項３：請求項１を引用する請求項３を新たな請求項３にする訂正は、以下の（ア）〜（カ）の訂正事項からなり、新たな請求項３を引用する新たな請求項７についても同様に訂正する。
（ア）請求項１の記載を引用しないものとする訂正事項（以下「訂正事項３−１」という。
（イ）「前記基材フィルム及び前記飛散防止フィルムは、それらの配向主軸が互いに略平行であるか、又は互いに異なるリタデーションを有し、その差が１８００ｎｍ以上であ」り、「前記基材フィルム及び前記飛散防止フィルムのリタデーションの差が３５００ｎｍ以上である」と特定するものを、「前記基材フィルム及び前記飛散防止フィルムは、互いに異なるリタデーションを有し、その差が３５００ｎｍ以上であ」りにする訂正事項（以下「訂正事項３−２」という。）
（ウ）「前記基材フィルムの配向主軸と前記偏光子の偏光軸とが形成する角は、４５度±３０度以下であり」との特定事項を追加する訂正事項（以下「訂正事項３−３」という。）。
（エ）「前記飛散防止フィルムの配向主軸と前記偏光子の偏光軸が形成する角は、４５度±３０度以下である」との特定事項を追加する訂正事項（以下「訂正事項３−４」という。）。
（オ）「（但し、前記基材フィルムの配向主軸と前記飛散防止フィルムの配向主軸とが形成する角が１度以下である画像表示装置」「を除く）」との特定事項を追加する訂正事項（以下「訂正事項３−５」という。）。
（カ）「（但し、」「前記基材フィルムの配向主軸と前記飛散防止フィルムの配向主軸とが形成する角が９０度±１度以下である画像表示装置を除く）」との特定事項を追加する訂正事項（以下「訂正事項３−６」といい、「訂正事項３−１」乃至「訂正事項３−６」をまとめて「訂正事項３」という。）。
訂正事項４：請求項１を引用する請求項４を新たな請求項１を引用する新たな請求項４にする訂正は、以下の（ア）〜（イ）の訂正事項からなる。
（ア）「（但し、前記基材フィルムの配向主軸と前記飛散防止フィルムの配向主軸とが形成する角が５度以下である画像表示装置を除く）」との特定事項を追加する訂正事項（以下「訂正事項４−１」という。）。
（イ）引用先の請求項１の訂正に伴う「訂正事項１−１」〜「訂正事項１−５」（以下、「訂正事項４−１」、「訂正事項１−１」〜「訂正事項１−５」をまとめて「訂正事項４」という。）
訂正事項５：請求項２を引用する請求項４を新たな請求項２を引用する新たな請求項５にする訂正は、以下の（ア）〜（イ）の訂正事項からなる。
（ア）「（但し、前記基材フィルムの配向主軸と前記飛散防止フィルムの配向主軸とが形成する角が２０度以下である画像表示装置を除く）」との特定事項を追加する訂正事項（以下「訂正事項５−１」という。）。
（イ）引用先の請求項２の訂正に伴う「訂正事項２−１」〜「訂正事項２−５」（以下、「訂正事項５−１」、「訂正事項２−１」〜「訂正事項２−５」をまとめて「訂正事項５」という。）
訂正事項６：請求項２を引用する請求項３を新たな請求項６にする訂正は、以下の（ア）〜（オ）の訂正事項からなる。
（ア）請求項２の記載を引用しないものとする訂正事項（以下「訂正事項６−１」という。
（イ）「前記基材フィルムの配向主軸と前記偏光子の偏光軸とが形成する角は、４５度±３０度以下であり」との特定事項を追加する訂正事項（以下「訂正事項６−２」という。）。
（ウ）「前記飛散防止フィルムの配向主軸と前記偏光子の偏光軸が形成する角は、４５度±３０度以下である」との特定事項を追加する訂正事項（以下「訂正事項６−３」という。）。
（エ）「（但し、前記基材フィルムの配向主軸と前記飛散防止フィルムの配向主軸とが形成する角が３度以下である画像表示装置」「を除く）」との特定事項を追加する訂正事項（以下「訂正事項６−４」という。）。
（オ）「（但し、」「前記基材フィルムの配向主軸と前記飛散防止フィルムの配向主軸とが形成する角が９０度±３度以下である画像表示装置を除く）」との特定事項を追加する訂正事項（以下「訂正事項６−５」といい、「訂正事項６−１」〜「訂正事項６−５」をまとめて「訂正事項６」という。）。
訂正事項７：請求項１、３を引用する請求項４を新たな請求項３を引用する新たな請求項７にする訂正は、以下の（ア）〜（イ）の訂正事項からなる。
（ア）「（但し、前記基材フィルムの配向主軸と前記飛散防止フィルムの配向主軸とが形成する角が５度以下である画像表示装置を除く）」との特定事項を追加する訂正事項（以下「訂正事項７−１」という。）
（イ）引用先の請求項３の訂正に伴う「訂正事項３−１」〜「訂正事項３−６」（以下、「訂正事項７−１」、「訂正事項３−１」〜「訂正事項３−６」をまとめて「訂正事項７」という。）
訂正事項８：請求項２、３を引用する請求項４を新たな請求項６を引用する新たな請求項８にする訂正は、以下の（ア）〜（ウ）の訂正事項からなる。
（ア）「前記基材フィルムの配向主軸と前記飛散防止フィルムの配向主軸とが形成する角は４５度以下である」との特定事項を追加する訂正事項（以下「訂正事項８−１」という。）。
（イ）「（但し、前記基材フィルムの配向主軸と前記飛散防止フィルムの配向主軸とが形成する角が２０度以下である画像表示装置を除く）」との特定事項を追加する訂正事項（以下「訂正事項８−２」という。）。
（ウ）引用先の請求項６の訂正に伴う「訂正事項６−１」〜「訂正事項６−４」（以下、「訂正事項８−１」、「訂正事項８−２」、「訂正事項６−１」〜「訂正事項６−４」をまとめて「訂正事項８」という。）。
２　訂正の目的の適否、新規事項の有無、及び特許請求の範囲の拡張・変更の有無　
（１）訂正の目的
ア　訂正事項１
（ア）「訂正事項１−１」は、択一的な記載の一方を削除するとともに、リタデーションの差が「１８００ｎｍ以上」であるものを「１９００ｎｍ以上」にする訂正であるから、特許請求の範囲の減縮を目的とするものである。
（イ）「訂正事項１−２」乃至「訂正事項１−５」は何れも特定事項を追加する訂正であるから、特許請求の範囲の減縮を目的とするものである。
イ　訂正事項２
（ア）「訂正事項２−１」は、択一的な記載の一方を削除するとともに、リタデーションの差が「１８００ｎｍ以上」であるものを「１９００ｎｍ以上」にする訂正であるから、特許請求の範囲の減縮を目的とするものである。
（イ）「訂正事項２−２」乃至「訂正事項２−５」は、何れも特定事項を追加する訂正であるから、特許請求の範囲の減縮を目的とするものである。
ウ　訂正事項３
（ア）「訂正事項３−１」は、請求項１の記載を引用する請求項３の記載を、請求項１の記載を引用しないものとすることを目的とするものである。
（イ）「訂正事項３−２」は、実質的に、択一的な記載の一方を削除する訂正であるから、特許請求の範囲の減縮を目的とするものである。
（ウ）「訂正事項３−３」乃至「訂正事項３−６」は、何れも特定事項を追加する訂正であるから、特許請求の範囲の減縮を目的とするものである。
エ　訂正事項４
（ア）「訂正事項４−１」は、特定事項を追加する訂正であるから、特許請求の範囲の減縮を目的とするものである。
（イ）引用先の請求項１の訂正に伴う「訂正事項１−１」〜「訂正事項１−５」は、上記アで検討したとおり、特許請求の範囲の減縮を目的とするものである。
オ　訂正事項５
（ア）「訂正事項５−１」は、特定事項を追加する訂正であるから、特許請求の範囲の減縮を目的とするものである。
（イ）引用先の請求項２の訂正に伴う「訂正事項２−１」〜「訂正事項２−５」は、上記イで検討したとおり、特許請求の範囲の減縮を目的とするものである。
カ　訂正事項６
（ア）「訂正事項６−１」は、請求項２の記載を引用する請求項３の記載を、請求項２の記載を引用しないものとすることを目的とするものである。
（イ）「訂正事項６−２」〜「訂正事項６−５」は、何れも特定事項を追加する訂正であるから、特許請求の範囲の減縮を目的とするものである。
キ　訂正事項７
（ア）「訂正事項７−１」は、特定事項を追加する訂正であるから、特許請求の範囲の減縮を目的とするものである。
（イ）引用先の請求項３の訂正に伴う「訂正事項３−１」〜「訂正事項３−６」は、上記ウで検討したとおり、特許請求の範囲の減縮を目的とするものである。
ク　訂正事項８
（ア）「訂正事項８−１」、「訂正事項８−２」は、何れも特定事項を追加する訂正であるから、特許請求の範囲の減縮を目的とするものである。
（イ）上記カで検討したとおり、引用先の請求項６の訂正に伴う「訂正事項６−１」は、請求項２の記載を引用しないものとすることを目的とするものであり、「訂正事項６−２」〜「訂正事項６−４」は、特許請求の範囲の減縮を目的とするものである。
（２）新規事項の有無　
ア　本件の明細書には、以下の記載がある。
（ア）「【００１８】
　画像表示装置が表示する画像における虹斑等の色調の乱れを抑制するという観点から、前記２枚の高リタデーション配向フィルムは、それらの配向主軸が互いに略平行であるように配置されることが好ましい。よって、
２枚の配向フィルムの配向主軸が形成する角度
は、
好ましくは０度±５度以下であり
好ましくは０度±３度以下であ
好ましくは０度±１度以下であ
る。
【００１９】
　上記のように２枚の高リタデーション配向フィルムは、互いの配向主軸が平行であることが好ましいが、２枚のフィルムのリタデーション差が大きいほど、上記角度の許容範囲は大きくなる。
２枚のフィルムのリタデーション差が３５００ｎｍ以上
であれば、上記角度に関係なく虹斑を抑制できる
【００２０】
　
虹斑を抑制するという観点から２枚の高リタデーション配向フィルムのうち、少なくとも１枚は、その配向主軸と視認側偏光子の偏光軸とが形成する角
は、４５度±３０度以下であ
る。
（イ）「【０１０６】
【表１】
【０１０７】
　上記表１に示される通り、基材フィルム及び視認側飛散防止フィルムとして３０００ｎｍ以上のリタデーションを有する配向フィルムを用い、各配向フィルムのリタデーション
が同一である場合、明確な虹斑が発生し、視認性が顕著に低下することが確認された。一方、
２枚の配向フィルムのリタデーションの値に１８００ｎｍ以上の差をつけることにより、虹斑の発生が抑制され、その効果はリタデーションの差をより高くすることにより顕著になることが確認された
２枚の配向フィルムのリタデーション差が約３５００ｎｍ以上
であれば、２枚の配向フィルムの配向主軸が形成する角が４５度であっても虹斑が目立たず、さらにフィルムの配向角を大きくしても虹斑が目立たない
イ　訂正事項１
（ア）訂正事項１−１：択一的な記載の一方を削除する訂正は、明細書等に記載した事項の範囲内においてするものである。また、上記ア（イ）【０１０７】には、２枚の配向フィルムのリタデーション差をより高くすることにより虹斑発生を抑制する効果がより顕著になることが記載され、さらに、表１の試験Ｎｏ．５には、基材フィルムと飛散防止フィルムのリタデーションの差が１９００ｎｍであることが記載されている。してみると、「前記基材フィルム及び前記飛散防止フィルムは、互いに異なるリタデーションを有し、その差が１９００ｎｍ以上であ」るとする訂正は、願書に添付した明細書、特許請求の範囲又は図面（以下「明細書等」という。）に記載した事項の範囲内においてするものである。
（イ）訂正事項１−２、訂正事項１−３：上記ア（ア）【００２０】には、虹斑を抑制するという観点から２枚の高リタデーション配向フィルムのうち、少なくとも１枚は、その配向主軸と視認側偏光子の偏光軸とが形成する角は、４５度±３０度以下であることが記載されている。してみると、「前記基材フィルムの配向主軸と前記偏光子の偏光軸とが形成する角は、４５度±３０度以下であり」とする訂正、「前記飛散防止フィルムの配向主軸と前記偏光子の偏光軸が形成する角は、４５度±３０度以下であり」とする訂正は、何れも明細書等に記載した事項の範囲内においてするものである。
（ウ）訂正事項１−４：表１の試験Ｎｏ．５には、Ｒｅ差が１９００ｎｍの場合に、概ね３０度以下で虹斑が目立たなかったことが記載されている。してみると、「前記基材フィルムの配向主軸と前記飛散防止フィルムの配向主軸とが形成する角は、３０度以下である」とする訂正は、明細書等に記載した事項の範囲内においてするものである。
（エ）訂正事項１−５：上記ア（ア）【００２０】には、２枚の配向フィルムの配向主軸が形成する角度は、好ましくは０度±１度以下であることが記載されている。してみると、訂正事項は、２枚の配向フィルムの配向主軸が形成する角度として、好ましい角度範囲を除いたものであり、明細書等に記載した事項の範囲内においてするものである。
ウ　訂正事項２
（ア）訂正事項２−１：上記イ（ア）と同様の理由により、明細書等に記載した事項の範囲内においてするものである。
（イ）訂正事項２−２、訂正事項２−３、訂正事項２−４：上記イ（イ）〜（エ）と同様の理由により、明細書等に記載した事項の範囲内においてするものである。
（ウ）訂正事項２−５：上記ア（ア）【００２０】には、２枚の配向フィルムの配向主軸が形成する角度は、好ましくは０度±３度以下であることが記載されている。してみると、訂正事項は、２枚の配向フィルムの配向主軸が形成する角度として、好ましい角度範囲を除いたものであり、明細書等に記載した事項の範囲内においてするものである。
エ　訂正事項３
（ア）訂正事項３−１：請求項１の記載を引用しないものとする訂正であるから、明細書等に記載した事項の範囲内においてするものである。
（イ）訂正事項３−２：択一的な記載の一方を削除する訂正は、明細書等に記載した事項の範囲内においてするものである。
（ウ）訂正事項３−３、訂正事項３−４：上記イ（イ）、（ウ）と同様の理由により、明細書等に記載した事項の範囲内においてするものである。
（エ）訂正事項３−５：上記イ（エ）と同様の理由により、明細書等に記載した事項の範囲内においてするものである。
（オ）訂正事項３−６：上記ア（ア）【００１９】には、２枚のフィルムのリタデーション差が３５００ｎｍ以上であれば、上記角度に関係なく虹斑を抑制できることが記載されている。そして、特許権者は訂正請求書において、「除くことは新たな技術的事項の導入に該当しない」と説明している。してみると、「前記基材フィルムの配向主軸と前記飛散防止フィルムの配向主軸とが形成する角が９０度±１度以下である画像表示装置を除く」ことは、明細書等に記載した事項の範囲内においてするものである。
オ　訂正事項４
（ア）訂正事項４−１：上記ア（ア）【００２０】には、２枚の配向フィルムの配向主軸が形成する角度は、好ましくは０度±５度以下であることが記載されている。してみると、訂正事項は、２枚の配向フィルムの配向主軸が形成する角度として、好ましい角度範囲を除いたものであり、明細書等に記載した事項の範囲内においてするものである。
（イ）引用先の請求項１の訂正に伴う「訂正事項１−１」〜「訂正事項１−５」は、上記イ（ア）〜（エ）に記載したとおり、明細書等に記載した事項の範囲内においてするものである。
カ　訂正事項５
（ア）訂正事項５−１：表１の試験Ｎｏ．５には、Ｒｅ差が１９００ｎｍの場合に、概ね３０度以下で虹斑が目立たなかったことが記載されている。してみると、訂正事項５−１は、明細書等に記載した事項の範囲内においてするものである。
（イ）引用先の請求項２の訂正に伴う「訂正事項２−１」〜「訂正事項２−５」は、上記ウ（ア）〜（ウ）に記載したとおり、明細書等に記載した事項の範囲内においてするものである。
キ　訂正事項６
（ア）訂正事項６−１：請求項２の記載を引用しないものとする訂正であるから、明細書等に記載した事項の範囲内においてするものである。
（イ）訂正事項６−２、訂正事項６−３：上記イ（イ）と同様の理由により、明細書等に記載した事項の範囲内においてするものである。
（ウ）訂正事項６−４：上記ウ（ウ）と同様の理由により、明細書等に記載した事項の範囲内においてするものである。
（エ）訂正事項６−５：上記ア（ア）【００１９】には、２枚のフィルムのリタデーション差が３５００ｎｍ以上であれば、上記角度に関係なく虹斑を抑制できることが記載されている。してみると、「前記基材フィルムの配向主軸と前記飛散防止フィルムの配向主軸とが形成する角が９０度±３度以下である画像表示装置を除く」ことは、明細書等に記載した事項の範囲内においてするものである。
ク　訂正事項７
（ア）訂正事項７−１：上記オ（ア）と同様の理由により、明細書等に記載した事項の範囲内においてするものである。
（イ）引用先の請求項３の訂正に伴う「訂正事項３−１」〜「訂正事項３−６」は、上記エ（ア）〜（オ）に記載したとおり、明細書等に記載した事項の範囲内においてするものである。
ケ　訂正事項８
（ア）訂正事項８−１：上記ア（イ）【０１０７】には、２枚の配向フィルムのリタデーション差が約３５００ｎｍ以上であれば、２枚の配向フィルムの配向主軸が形成する角が４５度であっても虹斑が目立たないことが記載されている。してみると、訂正事項８−１は、明細書等に記載した事項の範囲内においてするものである。
（イ）訂正事項８−２：上記カ（ア）と同様の理由により、明細書等に記載した事項の範囲内においてするものである。
（３）特許請求の範囲の拡張・変更の有無　
　訂正事項１〜８はいずれも、実質上特許請求の範囲を拡張し、又は変更するものではない。
３　一群の請求項について　
　願書に添付した特許請求の範囲の請求項１−４は、特許法施行規則第４５条の４で定める関係を有する一群の請求項であるところ、本件訂正請求は、一群の請求項ごとに請求するものである。
４　訂正のまとめ　
　本件訂正請求は、特許法第１２０条の５第２項ただし書第１号又は第４号に掲げる事項を目的とするものであり、かつ、同条第４項、及び第９項で準用する第１２６条第４項ないし第６項の規定に適合するので、訂正後の請求項〔１−８〕についての訂正を認める。
第３　本件発明
　上記第２のとおり、本件訂正請求は認められたので、本件特許発明は、以下のとおりのものである。
「【請求項１】
（１）連続的な発光スペクトルを有する白色光源、
（２）画像表示セル、
（３）前記画像表示セルより視認側に配置される偏光子、
（４）前記偏光子より視認側に配置される、透明導電層が積層された基材フィルム、及び
（５）前記基材フィルムよりも視認側に配置される飛散防止フィルム、
を有し、
前記基材フィルム及び前記飛散防止フィルムは、いずれも３０００ｎｍ以上１５００００ｎｍ以下のリタデーションを有する配向フィルムであり、
前記基材フィルム及び前記飛散防止フィルムの少なくとも一方は、リタデーション（Ｒｅ）と厚さ方向のリタデーション（Ｒｔｈ）の比（Ｒｅ/Ｒｔｈ）が０．２以上２．０以下であり、
前記基材フィルム及び前記飛散防止フィルムは、互いに異なるリタデーションを有し、その差が１９００ｎｍ以上であり、
前記基材フィルムの配向主軸と前記偏光子の偏光軸とが形成する角は、４５度±３０度以下であり、　
前記飛散防止フィルムの配向主軸と前記偏光子の偏光軸が形成する角は、４５度±３０度以下であり、　
前記基材フィルムの配向主軸と前記飛散防止フィルムの配向主軸とが形成する角は、３０度以下である、　
画像表示装置（但し、前記基材フィルムの配向主軸と前記飛散防止フィルムの配向主軸とが形成する角が１度以下である画像表示装置を除く）。
【請求項２】
（１）連続的な発光スペクトルを有する白色光源、
（２）画像表示セル、
（３）前記画像表示セルより視認側に配置される偏光子、
（４）前記偏光子より視認側に配置される、透明導電層が積層された基材フィルム、及び
（５）前記基材フィルムよりも視認側に配置される飛散防止フィルム、
を有し、
前記基材フィルム及び前記飛散防止フィルムは、いずれも３０００ｎｍ以上１５００００ｎｍ以下のリタデーションを有する配向フィルムであり、
前記基材フィルム及び前記飛散防止フィルムは、互いに異なるリタデーションを有し、その差が１９００ｎｍ以上であり、
前記基材フィルムの配向主軸と前記偏光子の偏光軸とが形成する角は、４５度±３０度以下であり、　
前記飛散防止フィルムの配向主軸と前記偏光子の偏光軸が形成する角は、４５度±３０度以下であり、　
前記基材フィルムの配向主軸と前記飛散防止フィルムの配向主軸とが形成する角は、３０度以下である、　
画像表示装置（但し、前記基材フィルムの配向主軸と前記飛散防止フィルムの配向主軸とが形成する角が３度以下である画像表示装置を除く）。
【請求項３】
（１）連続的な発光スペクトルを有する白色光源、　
（２）画像表示セル、　
（３）前記画像表示セルより視認側に配置される偏光子、　
（４）前記偏光子より視認側に配置される、透明導電層が積層された基材フィルム、及び（５）前記基材フィルムよりも視認側に配置される飛散防止フィルム、　
を有し、　
前記基材フィルム及び前記飛散防止フィルムは、いずれも３０００ｎｍ以上１５００００ｎｍ以下のリタデーションを有する配向フィルムであり、　
前記基材フィルム及び前記飛散防止フィルムの少なくとも一方は、リタデーション（Ｒｅ）と厚さ方向のリタデーション（Ｒｔｈ）の比（Ｒｅ/Ｒｔｈ）が０．２以上２．０以下であり、　
前記基材フィルム及び前記飛散防止フィルムは、互いに異なるリタデーションを有し、その差が３５００ｎｍ以上であり、　
前記基材フィルムの配向主軸と前記偏光子の偏光軸とが形成する角は、４５度±３０度以下であり、　
前記飛散防止フィルムの配向主軸と前記偏光子の偏光軸が形成する角は、４５度±３０度以下である、　
画像表示装置（但し、前記基材フィルムの配向主軸と前記飛散防止フィルムの配向主軸とが形成する角が１度以下である画像表示装置、及び前記基材フィルムの配向主軸と前記飛散防止フィルムの配向主軸とが形成する角が９０度±１度以下である画像表示装置を除く）。
【請求項４】
前記連続的な発光スペクトルを有する白色光源が、白色発光ダイオードである、請求項１に記載の画像表示装置（但し、前記基材フィルムの配向主軸と前記飛散防止フィルムの配向主軸とが形成する角が５度以下である画像表示装置を除く）。　
【請求項５】
前記連続的な発光スペクトルを有する白色光源が、白色発光ダイオードである、請求項２に記載の画像表示装置（但し、前記基材フィルムの配向主軸と前記飛散防止フィルムの配向主軸とが形成する角が２０度以下である画像表示装置を除く）。　
【請求項６】
（１）連続的な発光スペクトルを有する白色光源、　
（２）画像表示セル、　
（３）前記画像表示セルより視認側に配置される偏光子、　
（４）前記偏光子より視認側に配置される、透明導電層が積層された基材フィルム、及び（５）前記基材フィルムよりも視認側に配置される飛散防止フィルム、　
を有し、　
前記基材フィルム及び前記飛散防止フィルムは、いずれも３０００ｎｍ以上１５００００ｎｍ以下のリタデーションを有する配向フィルムであり、　
前記基材フィルム及び前記飛散防止フィルムは、互いに異なるリタデーションを有し、その差が３５００ｎｍ以上であり、　
前記基材フィルムの配向主軸と前記偏光子の偏光軸とが形成する角は、４５度±３０度以下であり、　
前記飛散防止フィルムの配向主軸と前記偏光子の偏光軸が形成する角は、４５度±３０度以下である、　
画像表示装置（但し、前記基材フィルムの配向主軸と前記飛散防止フィルムの配向主軸とが形成する角が３度以下である画像表示装置、及び前記基材フィルムの配向主軸と前記飛散防止フィルムの配向主軸とが形成する角が９０度±３度以下である画像表示装置を除く）。　
【請求項７】
前記連続的な発光スペクトルを有する白色光源が、白色発光ダイオードである、請求項３に記載の画像表示装置（但し、前記基材フィルムの配向主軸と前記飛散防止フィルムの配向主軸とが形成する角が５度以下である画像表示装置を除く）。　
【請求項８】
前記連続的な発光スペクトルを有する白色光源が、白色発光ダイオードであり、　
前記基材フィルムの配向主軸と前記飛散防止フィルムの配向主軸とが形成する角は４５度以下である、請求項６に記載の画像表示装置（但し、前記基材フィルムの配向主軸と前記飛散防止フィルムの配向主軸とが形成する角が２０度以下である画像表示装置を除く）。」（以下、その順に「本件発明１」等といい、本件発明１−８を合わせて「本件発明」という。）
第４　取消理由、異議申立理由の概要
１　取消理由の概要
　請求項１−６（注：平成３０年１０月２９日付け訂正請求書に添付された訂正特許請求の範囲の請求項１−６である。以下、それぞれ、「旧請求項１」等という。）に係る特許に対して、当審が平成３１年３月２９日付けで特許権者に通知した取消理由（予告）の概要は次のとおりである。
　旧請求項１−６に係る発明は、その出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものである。よって、旧請求項１−６に係る発明は、特許法第２９条第２項の規定により特許を受けることができないから、その発明に係る特許は取り消すべきものである。　 
 　 
 　　　　　　　　　　　　　　　　　　記　 
 　 
刊行物等 
・国際公開２０１２／０９０４０５号（以下「引用例１」という。）　
・特開２０１１−１０７１９８号公報（甲第１号証、以下「引用例２」という。）　
・特開平６−２５８６３４号公報（以下「引用例３」という。）　
・特開２００５−１５７０８２号公報（甲第４号証、以下「引用例４」という。）　
・特開２００４−１７０８７５号公報（以下「引用例５」という。）　
・富山小太郎訳　「ファインマン物理学ＩＩ　光　熱　波動」岩波書店　１９９６年２月１５日　ｐ８７−ｐ９０　（特に９０頁１５行−同頁３３行、及び図８−２参照。以下「引用例６」という。）　　
・オリンパス株式会社のホームページ　［第２回］偏光解析の基礎　
「http://microscopelabo.jp/learn/009/」及び「http://microscopelabo.jp/learn/009/index_2.html」 
 ２０１７年３月３１日付けで掲載頁が閉鎖　（甲第５号証、以下「引用例７」という。）　
　
２　異議申立理由の概要
（１）進歩性（その１） 
 　本件特許の請求項１〜４（注：「第２　１」に記載した訂正前の請求項１〜４である。以下、それぞれ「訂正前請求項１」等という。）に係る発明は、その出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものである。よって、本件特許の訂正前請求項１〜４に係る発明は、特許法第２９条第２項の規定により特許を受けることができないから、その発明に係る特許は取り消すべきものである。
　　　　　　　　　　　　　　　　　　記
甲第１号証：特開２０１１−１０７１９８号公報 
甲第２号証：特開２００８−１９２６２０号公報 
甲第３号証：特許第５０５１３２８号公報 
甲第４号証：特開２００５−１５７０８２号公報 
甲第５号証：オリンパス株式会社のホームページ　［第２回］偏光解析の基礎 
甲第６号証：国際公開第２０１１／１６２１９８号 
　
（２）進歩性（その２） 
　本件特許の訂正前請求項１〜４に係る発明は、その出願前日本国内または外国において頒布された下記の刊行物に記載された発明又は電気通信回線を通じて公衆に利用可能となった発明に基いて、その出願前にその発明の属する技術の分野における通常の知識を有する者が容易に発明をすることができたものである。よって、本件特許の訂正前請求項１〜４に係る発明は、特許法第２９条第２項の規定により特許を受けることができないから、その発明に係る特許は取り消すべきものである。 
　　　　　　　　　　　　　　　　　　記
甲第３号証：特許第５０５１３２８号公報
甲第１号証：特開２０１１−１０７１９８号公報 
甲第２号証：特開２００８−１９２６２０号公報 
甲第４号証：特開２００５−１５７０８２号公報 
甲第５号証：オリンパス株式会社のホームページ　［第２回］偏光解析の基礎 
甲第６号証：国際公開第２０１１／１６２１９８号
　
（３）拡大先願（その１） 
 　本件特許の訂正前請求項１及び４に係る発明は、その出願の日前の特許出願であって、その出願後に出願公開がされた下記の特許出願の願書に最初に添付された明細書又は図面に記載された発明と同一であり、しかも、この出願の発明者がその出願前の特許出願に係る上記の発明をした者と同一ではなく、またこの出願の時において、その出願人が上記特許出願の出願人と同一でもないので、特許法第２９条の２の規定により特許を受けることができないから、その発明に係る特許は取り消すべきものである。 
　　　　　　　　　　　　　　　　　　記
甲第７号証：特願２０１２−１４７１３９号（特開２０１４−１０３１５号公報）
　
（４）拡大先願（その２） 
 　本件特許の訂正前請求項１〜４に係る発明は、その出願の日前の特許出願であって、その出願後に出願公開がされた下記の特許出願の願書に最初に添付された明細書又は図面に記載された発明と同一であり、しかも、この出願の発明者がその出願前の特許出願に係る上記の発明をした者と同一ではなく、またこの出願の時において、その出願人が上記特許出願の出願人と同一でもないので、特許法第２９条の２の規定により特許を受けることができないから、その発明に係る特許は取り消すべきものである。 
　　　　　　　　　　　　　　　　　　記
甲第８号証：特願２０１２−１５６０１２号（特開２０１４−１６５９１号公報）
　
（５）特許請求の範囲の記載不備（明確性要件） 
 　本件の訂正前請求項１〜４に係る特許は、特許請求の範囲の記載が下記の点で不備のため、特許法第３６条第６項第２号に規定する要件を満たしていない。よって、本件の訂正前請求項１〜４に係る特許は、取り消すべきものである。 
　　　　　　　　　　　　　　　　　　記
　リタデーションの値が波長によって変動することは、光学の一般常識として知られている。訂正前請求項１、２及び訂正前請求項１、２を引用する訂正前請求項３、４で規定する飛散防止フィルムのリタデーションは、如何なる波長のリタデーションを意味するのか不明である。
第５　当審の判断（取消理由（予告）で通知した容易想到性について）
１　引用例の記載事項等　 
（１）引用例１ 
ア　引用例１には、以下の記載がある。　 
（ア）「技術分野 
［０００１］　本発明は、入力装置、入力制御方法、プログラム及び電子機器に関し、詳細には、タッチパネルと呼ばれる入力装置、入力制御方法、プログラム及び電子機器に関する。」　
　 
（イ）「背景技術　
…　
［０００４］　ところで、静電容量方式のタッチパネルは、上記のタッチ操作（指先をパネルに軽く触れること）のみならず、指先の接近操作（いわゆるホバー操作）も検出可能である。パネルの静電容量は、指先をパネルに近づけるだけでも変化するからである。ホバー操作は、たとえば、タッチパネルの感度を高めることによって検出可能であるが、単に感度を高めただけでは誤検出を否めず、しかも、タッチ操作とホバー操作を区別できないという不便もある。」　
 　 
（ウ）「発明が解決しようとする課題　
…　
［００１０］　そこで、本発明の目的は、タッチパネル面に接触した状態の検知だけではなく、タッチパネル面に近接した状態（タッチパネル面に触れる前の状態の検知についても、十分な精度で行うことができる入力装置、入力制御方法、プログラム及び電子機器を提供することにある。」　
 　 
（エ）「発明を実施するための形態　
［００１４］　本発明の実施形態を図面を参照しながら説明する。図１は、投影型静電容量方式のタッチパネルを搭載した電子機器の外観図である。図において、電子機器は、
たとえば、携帯電話機１
 …　
［００２１］　表示部６は、
液晶ディスプレイ
表示面には、投影型静電容量方式のタッチパネル７が貼り付けられ
 …　
［００２５］　図３は、タッチパネル７の概念構成図である。この図において、
タッチパネル７は、表示部６の表示面とほぼ同じ平面サイズ（縦横の大きさ）のタッチ部９を備え
［００２６］　ここで、タッチ部９の縦方向（図面の上下方向）をＹ軸方向、横方向（図面の左右方向）をＸ軸方向ということにし、縦方向に配列された各電極にＹ１〜Ｙ８の符号を付すとともに、横方向に配列された各電極にＸ１〜Ｘ８の符号を付すことにする。　
［００２７］　なお、図示の電極本数（Ｘ、Ｙ各々８本）は説明上の一例に過ぎない。タッチ部９の平面サイズにもよるが、実際には数百乃至数千本にも及ぶ。また、電極Ｙ１〜Ｙ８、Ｘ１〜Ｘ８を含むタッチ部９は透光性を有する素材で作られており、タッチ部９の裏面側に位置する表示部６の表示面に表示された任意の表示情報を、このタッチ部９を透して視認できるようになっている。　
［００２８］　図４は、タッチ部９の断面図である。この図において、
タッチ部９は、
表示面に接して配置されたガラスや透明フィルム等の基部用透明板１０と、その基部用透明板１０の上に順次に積層配置されたＸ電極層１１およびＹ電極層１２と、そのＹ電極層１２の上面に配置されたガラス（好ましくは強化ガラス）
の保護用透明板１３と
ガラス破片の飛散防止用の保護膜（たとえば、保護用透明フィルム）をガラス表面に貼り付け
［００２９］　
Ｘ電極層１１は、透明な誘電体膜（たとえば、ＰＥＴ）１４に微小間隔な多数の電極Ｘ１〜Ｘ８を形成したものであり、同様に、Ｙ電極層１２も透明な誘電体膜１５に微小間隔な多数の電極Ｙ１〜Ｙ８を形成したものである
極Ｘ１〜Ｘ８、Ｙ１〜Ｙ８は透明な導電素材、たとえば、ＩＴＯ（Indium Tin Oxide：酸化インジウム錫）などを蒸着または塗布もしくは印刷して形成され
［００３０］　二つの電極層（Ｘ電極層１１とＹ電極層１２）は電極の配列方向を除き、いずれも同じ構造を有している。但し、図示のとおり、Ｘ電極層１１とＹ電極層１２は基部用透明板１０の上に順次に積層配置されたものであって、図示の例では、Ｘ電極層１１の上にＹ電極層１２が位置しているから、Ｙ電極層１２の方が上層、つまり、タッチ部９の表面（タッチ面９ａ）に近い位置にある点で相違する。なお、この上下関係は逆であってもかまわない。すなわち、Ｘ電極層１１が上層に位置していてもかまわないが、ここでは、図示の上下関係にある（Ｘ電極層１１の上層にＹ電極層１２が位置する）ものとして説明を続ける。」 
　 
（オ）図１、図３、図４は、以下のとおりである。　
イ　上記アの記載によれば、タッチ操作のみならずホバー操作の十分な検知が行える入力装置の発明が開示されているところ、その実施形態の構成である、「表示面に投影型静電容量方式のタッチパネルが貼り付けられた液晶ディスプレイ」によれば、引用例１には、以下の発明が開示されている。　
 「表示面に投影型静電容量方式のタッチパネル７が貼り付けられた液晶ディスプレイであって、　
　タッチパネル７は、表示面とほぼ同じ平面サイズ（縦横の大きさ）のタッチ部９を備え、
　タッチ部９は、表示面に接して配置されたガラスや透明フィルム等の基部用透明板１０と、その基部用透明板１０の上に順次に積層配置されたＸ電極層１１およびＹ電極層１２と、そのＹ電極層１２の上面に配置されたガラス（好ましくは強化ガラス）の保護用透明板１３と、ガラス表面に貼り付けたガラス破片の飛散防止用の保護膜（たとえば、保護用透明フィルム）とを備え、　
　Ｘ電極層１１は、透明な誘電体膜（たとえば、ＰＥＴ）１４に微小間隔な多数の電極Ｘ１〜Ｘ８を形成したものであり、同様に、Ｙ電極層１２も透明な誘電体膜１５に微小間隔な多数の電極Ｙ１〜Ｙ８を形成したものであり、　
　電極Ｘ１〜Ｘ８、Ｙ１〜Ｙ８は透明な導電素材、たとえば、ＩＴＯ（Indium Tin Oxide：酸化インジウム錫）などを蒸着または塗布もしくは印刷して形成されており、　
　例えば、携帯電話機１に搭載される、　
　表示面に投影型静電容量方式のタッチパネル７が貼り付けられた液晶ディスプレイ。」（以下「引用発明」という。）　
　 
（２）引用例２　 
 ア　引用例２には、以下の記載がある。　 
（ア）「【請求項１】　 
　
バックライト光源と、液晶セルと、液晶セルの視認側に配した偏光板とを少なくとも有する液晶表示装置において、
　
バックライト光源として白色発光ダイオードを用いるとともに、
　
前記偏光板の視認側に、３０００〜３００００ｎｍのリタデーションを有する高分子フィルムを、前記偏光板の吸収軸と前記高分子フィルムの遅相軸とのなす角が凡そ４５度となるように配して用いること
液晶表示装置
　 
（イ）「【技術分野】　 
【０００１】　 
　本発明は、サングラスなどの偏光板を通して画面を観察した時、その観察角度によらず良好な視認性を確保することができる液晶表示装置の視認性改善方法、及びそれを用いた液晶表示装置に関する。」　 
　 
（ウ）「【背景技術】　 
 …　 
【０００４】　 
　ところで、日差しの強い屋外等の環境では、その眩しさを解消するために、偏光特性を有するサングラスを掛けた状態でＬＣＤを視認する場合がある。この場合、観察者はＬＣＤから射出した直線偏光を有する光を、偏光板を通して視認することとなるため、ＬＣＤに内装される偏光板の吸収軸と、サングラスなどの偏光板の吸収軸とがなす角度によっては画面が見えなくなってしまう。　 
【０００５】　 
　上記問題を解決するため、例えば、特許文献１では、ＬＣＤ表面に位相差（４分の１波長）板を斜めに積層して直線偏光を円偏光に変換して偏光解消する方法が提案されている。」　 
　 
（エ）「【発明が解決しようとする課題】　 
【０００８】　
　しかしながら、位相差（４分の１波長）板といえども、ある特定の波長領域の光に対してのみ４分の１波長を達成するに過ぎず、広い可視光領域に渡って均一に４分の１波長を達成する材料は得られていない。そのため特許文献１の方法では、十分な視認性改善効果は得られない。　 
 …　 
【００１０】　 
　本発明は、かかる課題を解決すべくなされたものであり、その目的は、
サングラスなどの偏光板を通して画面を観察した時、その観察角度によらず高度に良好な視認性を確保すること
　 
（オ）「【課題を解決するための手段】　 
【００１１】　 
　本発明者らは、かかる目的を達成するために鋭意検討した結果、特定のバックライト光源と特定のリタデーションを有する高分子フィルムとを組み合せて用いることにより、上記問題を解決できることを見出し、本発明の完成に至った。」 
　 
（カ）「【発明の効果】　 
【００１３】　 
　本発明の方法では、連続的で幅広い発光スペクトルを有する白色発光ダイオード光源において効率よく直線偏光を解消し、光源に近似したスペクトルが得られるため、サングラスなどの偏光板を通して液晶表示画面を観察する際でも、その観察角度によらず良好な視認性を確保できる。」　 
　 
（キ）「【発明を実施するための形態】　 
 …　 
【００２０】　 
　本発明では、前記偏光板の視認側に特定範囲のリタデーションを有する高分子フィルムを配することを特徴とする。本発明者は複屈折体を透過した透過光による干渉色スペクトルの包絡線形状に着目し、本発明の着想を得たものである。すなわち、光源の発光スペクトルと複屈折体を透過した透過光による干渉色スペクトルの包絡線形状とが相似形となることで視認性が顕著に改善することを見出し、本発明に至ったものである。具体的に、本発明の構成により視認性が改善するという効果は以下の技術思想による。　 
【００２１】　 
　直交する２つの偏光板の間に複屈折性を有する高分子フィルムを配した場合、偏光板から出射した直線偏光が高分子フィルムを通過する際に乱れが生じ、光が透過する。
透過した光は高分子フィルムの
リタデーションに特有の干渉色を示す
【００２２】　 
　上記効果を奏するために、本発明に用いられる高分子フィルムは、３０００〜３００００ｎｍのリタデーションを有していなければならない。リタデーションが３０００ｎｍ未満では、サングラスなどの偏光板を通して画面を観察した時、強い干渉色を呈するため、包絡線形状が光源の発光スペクトルと相違し、良好な視認性を確保することができない。好ましいリタデーションの下限値は４５００ｎｍ、より好ましい下限値は６０００ｎｍ、更に好ましい下限値は８０００ｎｍ、より更に好ましい下限値は１００００ｎｍである。　 
【００２３】　 
　一方、リタデーションの上限は３００００ｎｍである。それ以上のリタデーションを有する高分子フィルムを用いたとしても更なる視認性の改善効果は実質的に得られないばかりか、フィルムの厚みも相当に厚くなり、工業材料としての取り扱い性が低下するので好ましくない。」　 
　 
（ク）図３は以下のとおりである。 
（ケ）「【００３８】 
 実験例１ 
　ここでは、高分子フィルムとしてポリカーボネートフィルムを用いた例を示す。 
 … 
【００４１】 
　次に、シュミレーションにより配向ポリカーボネートフィルムの干渉色チャートを作成した。 
　直交ニコル間の対角位に複屈折体を配し、バックライトとして白色光源を用いた場合に直交ニコルを透過する光を干渉色として定義すると、光の透過率は次の式（１）で表される。 
　Ｉ／Ｉ０＝１／２・ｓｉｎ２（π・Ｒｅ／λ）・・・（１） 
　ここで、Ｉ０は直交ニコルに入射する光の強度、Ｉは直交ニコルを透過した光の強度、Ｒｅは複屈折体のリタデーション、を示す。このように、透過率（Ｉ／Ｉ０）はリタデーション、光の波長によって変化するため、リタデーションの値に特有の干渉色が観察される。 
【００４２】 
　しかしながら、高分子材料は屈折率（特に可視光の短波長領域）の波長分散性が大きく、係る波長分散性は高分子材料により異なる。複屈折に波長依存性が存在すると、複屈折が波長ごとに変化する。そこで、上記式（１）を配向ポリカーボネートに適用する場合は、ポリカーボネート特有の波長分散性を考慮し、本実験例では以下の式（２）を適用した。 
　Ｉ／Ｉ０＝１／２・ｓｉｎ２（π・ｆ（λ）・Ｒｅ／λ）・・・（２） 
　ここで、ｆ（λ）は複屈折の波長分散性を表す関数である。 
【００４３】 
　上記式（２）をもとに、配向ポリカーボネートフィルムの複屈折の波長分散性を考慮して干渉色を計算するプログラムを作成し、リタデーションと干渉色の関係を表す干渉色チャートを作成した。図２には、図１に示した白色発光ダイオードの発光スペクトルを用いて計算した、配向ポリカーボネートフィルムの干渉色チャートを示した。図１、図２より実測とシミュレーションで色は一致しており、リタデーション（Ｒｅ）≧３０００ｎｍ以上で干渉色の変動は著しく低下し、Ｒｅ≧８０００ｎｍ程度では干渉色はほぼ一定となることが判った。 
【００４４】 
　また、図３には、Ｒｅ＝８０００ｎｍにおいて直交ニコルを透過した光のスペクトルを示す。図中、Ｐ（λ）が光源（白色ＬＥＤ）の発光スペクトル、Ｔ（λ）が透過光のスペクトルである。
透過光スペクトルの包絡線が光源の発光スペクトルの形状を保存した相似形を有し
実効的に光源の発光スペクトルからなる
　 
（コ）「【００４８】　 
実験例２　 
　ここでは、高分子フィルムとして配向ポリエチレンテレフタレート（ＰＥＴ）フィルムを用いた例を示す。　 
　ジメチルテレフタレートを１０００部、エチレングリコールを７００部、および酢酸マンガン４水塩を０．１６部をエステル交換反応缶に仕込み、１２０〜２１０℃でエステル交換反応を行い、生成するメタノールを留去した。エステル交換反応が終了した時点で三酸価アンチモンを０．１３部、正リン酸を０．０１７部を加え、系内を徐々に減圧にし、７５分間で１３３Ｐａとした。同時に徐々に昇温し、２８０℃とした。この条件で７０分間重縮合反応を実施し、溶融ポリマーを吐出ノズルより水中に押出し固有粘度が０．６２ｄｌ／ｇのＰＥＴ樹脂を得た。　 
【００４９】　 
　固有粘度が０．６２ｄｌ／ｇのＰＥＴ樹脂を水冷却した回転急冷ドラム上にフィルム形成ダイを通して押出し、未延伸フィルムを作製した。この未延伸フィルムを幅方向に１００℃で４．０倍延伸した後、１５０℃で熱固定を行い、更に１３０℃から１００℃に冷却しながら、幅方向に３％弛緩処理を行い、厚さ３８μｍの配向ＰＥＴフィルム（ＰＥＴフィルム−１）を得た。
【００５０】　 
　また、ＰＥＴフィルム−１と同様の方法を用い、未延伸フィルムの厚みを変更することにより、厚さ２００μｍの配向ＰＥＴフィルム（ＰＥＴフィルム−２）を得た。　 
【００５１】　 
　ＰＥＴフィルム−１と同様の方法を用いて作成した未延伸フィルムを、加熱されたロール群および赤外線ヒーターを用いて１０５℃に加熱し、その後周速差のあるロール群で長手方向（走行方向）に３．４倍延伸して、厚さ７００μｍの配向ＰＥＴフィルム（ＰＥＴフィルム−３）を得た。　 
【００５２】　 
　上記の方法で得られた配向ＰＥＴフィルムの特性を表１に示した。…」　
　 
（サ）表１は、以下のとおりである。 
 イ　上記ア（ア）−ア（ケ）によれば、以下の事項が開示されている。 
 「バックライト光源と、液晶セルと、液晶セルの視認側に配した偏光板とを少なくとも有する液晶表示装置において、 
　サングラスなどの偏光板を通して液晶表示装置の画面を観察した時、その観察角度によらず高度に良好な視認性を確保することを目的とし、 
　バックライト光源として連続的な発光スペクトルを有する白色発光ダイオードを用いるとともに、　 
　前記偏光板の視認側に、３０００〜３００００ｎｍのリタデーションを有する高分子フィルムを、前記偏光板の吸収軸と前記高分子フィルムの遅相軸とのなす角が凡そ４５度となるように配して用いることにより、 
　高分子フィルムのリタデーションに特有の干渉色を示す高分子フィルムの透過光は、そのスペクトルの包絡線形状が光源の発光スペクトルの形状を保存した相似形を有し、実効的に光源の発光スペクトルからなる、 
　液晶表示装置。」（以下「引用例２の技術事項１」という。） 
　 
 ウ　上記ア（コ）、（サ）によれば、「３０００〜３００００ｎｍのリタデーションを有する高分子フィルム」の例として「ＰＥＴフィルム−１」、「ＰＥＴフィルム−２」が記載され、その特性が表１に記載されている。 
　直交する二軸の屈折率をＮｘ，Ｎｙ、厚さ方向の屈折率をＮｚ、厚みをｄ（ｎｍ）とすると、厚さ方向リタデーション（Ｒｔｈ）は、（△Ｎｘｚ×ｄ）、（△Ｎｙｚ×ｄ）の平均値であるから、「ＰＥＴフィルム−１」、「ＰＥＴフィルム−２」の厚さ方向リタデーション（Ｒｔｈ）を算出するとともに、リタデーションと厚さ方向のリタデーションの比（Ｒｅ／Ｒｔｈ）を算出すると、以下のとおりである。　 
　　　　　　　　　　　　　　（Ｒｔｈ）　　　（Ｒｅ／Ｒｔｈ）　 
　ＰＥＴフィルム−１　　　４３８９ｎｍ　　　　０．８４８　 
　ＰＥＴフィルム−２　　２５８６０ｎｍ　　　　０．８３２　 
　 
　してみると、「３０００〜３００００ｎｍのリタデーションを有する高分子フィルム」として、以下のフィルムが開示されている。 
 「厚み３８μｍ、３７２４ｎｍのリタデーションを有し、リタデーション（Ｒｅ）と厚さ方向のリタデーション（Ｒｔｈ）の比（Ｒｅ／Ｒｔｈ）が０．８４８であるＰＥＴフィルム−１、 
　ＰＥＴフィルム−１と同様の方法を用い、未延伸フィルムの厚みを変更して作成した、 
　厚み２００μｍ、２１５２０ｎｍのリタデーションを有し、リタデーション（Ｒｅ）と厚さ方向のリタデーション（Ｒｔｈ）の比（Ｒｅ／Ｒｔｈ）が０．８３２であるＰＥＴフィルム−２」（以下「引用例２の技術事項２」という。） 
　 
（３）引用例３　 
 ア　引用例３には、以下の記載がある。　 
（ア）「【請求項１】　
２枚の透明基板で液晶層が挾持され、該２枚の透明基板の外側にそれぞれ偏光板が配置され、前記液晶層の一方の面で表示されてなる液晶表示デバイスであって、前記液晶層の表示面側に配置されたフロント側偏光板の前面に位相差板が配置され、該位相差板はその光学軸が前記フロント側偏光板の吸収軸とほぼ３５°〜５５°の角度をなすように配置されると共に、前記位相差板のリターデイションがほぼ４０００ｎｍ以上の範囲に設定されてなる液晶表示デバイス
　 
（イ）「【０００５】　 
【発明が解決しようとする課題】しかし、従来の液晶表示デバイスのばあい、フロント側偏光板２から出射する光が直線偏光になっているため、図３に示すように観測者７が偏光めがね６をかけているばあい、見る方向によっては液晶表示面が見えなくなる。すなわちフロント側偏光板２の吸収軸の方向Ｃと偏光めがね６の吸収軸の方向Ｆとのなす角度が９０°のばあい、光源５から液晶表示デバイスに入射し、フロント側偏光板２から出射する光が、自動車の運転や釣などのときに使用される偏光めがね６を透過できなくなるという欠点がある。とくに液晶表示デバイスが自動車のインジケータなど、表示計器に使用されたばあい、運転者が偏光板を使用したサングラスをかけていることがよくあるため、問題となる。 
【０００６】本発明の目的は、
偏光めがねをかけた観測者がどの方向から眺めても、表示面が偏った着色にならないで、確実に視認できる液晶表示デバイス
　 
（ウ）「【０００９】　 
【作用】本発明によれば、フロント側偏光板の前面に位相差板を配設し、位相差板の光学軸の方向とフロント側偏光板の吸収軸の方向とのなす角度をほぼ３５°〜５５°にすると共に、そのリターデイションΔｎ・ｄをほぼ４０００ｎｍ以上に設定しているため、
位相差板の複屈折性により常光線と異常光線とのあいだの位相のズレが１／４波長となる波長の光が、可視光の全波長領域（３８０ｎｍ〜７８０ｎｍ）にわたって多数存在
青色波長領域（３８０〜５００ｎｍ）、緑色波長領域（５００ｎｍ〜６００ｎｍ）、赤色波長領域（６００ｎｍ〜７８０ｎｍ)のいずれの波長領域においても
透過率のよい波長が存在
円偏光に近い楕円偏光
　 
（エ）「【００１０】 
【実施例】つぎに、図面を参照しながら本発明を説明する。図１は本発明のＴＮ型液晶表示デバイスを偏光めがねをかけて眺めたばあいの偏光めがねの吸収軸の方向などを示す分解説明図、図２は液晶セルに電界を印加したばあいに、位相差板から出た種々の波長の光の偏光めがねの透過率を表わすグラフである。 
【００１１】図１において、液晶層が２枚の透明基板に挾持された液晶セル１の両側にフロント側偏光板２およびリア側偏光板３が配設され、表示面側であるフロント側偏光板２の表面側にさらに位相差板４が配設されている。また裏面側には光源５が配設されている。液晶材料としては、たとえばＴＮ液晶が用いられ、両透明基板間で90°のねじれが生じるため、両側の透明基板に設けられるラビング方向は、たとえば図１にＡ、Ｂで示されるように90°の方向をなしている。また両偏光板２、３の吸収軸の方向Ｃ、Ｄは図１に示すように、フロント側とリア側とで同じ方向にして、ネガ型ＴＮ液晶表示デバイスを構成している。６は偏光めがねを示し、位相差板４の光学軸の方向をＥ、偏光めがね６の吸収軸の方向をＦで示している。位相差板４は、フロント側偏光板２の前に一定の間隙をあけて配置してもよいし、フロント側偏光板２の表面に密着または接着してもよい。また位相差板４の表面をアングレア処理し、乱反射機能をもたせてもよい。こうすることにより液晶表示パネル表面における外光反射による視認性低下を防止する効果がある。位相差板４はたとえばポリカーボネートなどの異常光線と常光線とのあいだで位相差を生じるフィルムからなり、高分子材料が熱延伸され、一軸延伸高分子フィルムに形成されている。また位相差板４は、雲母、人工雲母、水晶などの無機物により作製することもできる。位相遅れ（リターデイション）Ｒと屈折率ｎe、ｎoとのあいだには 
 Ｒ＝｜ｎe−ｎo｜×ｄ＝Δｎ・ｄ 
 の関係が成り立つ。ここで、ｄは板材の厚さ、ｎeは異常光線に対する屈折率、ｎoは常光線に対する屈折率である。 
【００１２】前述のように表示面側に偏光板が配設された液晶表示デバイスでは、フロント側偏光板２から出射した光は、フロント側偏光板の吸収軸の方向と一致する直線偏光となっているが、本発明では位相差板４を配設しているため、位相差板４を透過する際に常光線と異常光線との間に位相のずれが生じ、楕円偏光に変わる。したがって位相差板４を配設することにより、偏光めがね６をかけて液晶表示デバイスを観賞したばあいでも、一般的にはどの方向からでも観賞できる筈である。しかし、光の波長と位相差板の厚さによっては殆ど直線偏光となったり、短軸が短い楕円偏光となったり、また可視光の波長領域は広く、波長によっては見づらい部分が生じ、見る方向によって見づらいばあいが生じる。そこで本発明者らは位相差板の光学軸の方向や厚さを種々変えて鋭意検討を重ねた結果、位相差板４をフロント側偏光板２の表面側に配置すると共に、位相差板４の光学軸方向Ｅとフロント側偏光板２の吸収軸方向Ｃとのなす角度（鋭角）αをほぼ35°〜55°にし、同時に位相差板のリターデイションΔｎ・ｄをほぼ4000nm以上にすることにより、偏光めがねをかけてどの方向から観賞しても良好に視認できることを見出した。 
【００１３】前述の構成の液晶表示デバイスを製造し、位相差板４をフロント側偏光板２の表面に密着させ、位相差板４の光学軸の方向Ｅとフロント側偏光板２の吸収軸の方向Ｃとのなす角度αを、０〜90°のあいだで５°または10°ずつ変えると共に、それぞれの角度αに対し、位相差板のリターデイションΔｎ・ｄを500〜10000nmの範囲で変化させた。それぞれのリターデイションΔｎ・ｄの値と角度αのときに、偏光めがね６の吸収軸Ｆを360°回転させながら、観測者７が目視により液晶表示面の視認特性を測定した。表１にその結果を示す。 
【００１４】 
【表１】 
　
【００１５】表１から明らかなように、リターデイションΔｎ・ｄがほぼ4000nm以上で、かつ、角度αがほぼ35°〜55°の範囲では、偏光めがね６の吸収軸方向Ｆを360°どの方向に向けても液晶表示面が認識できた。とくにリターデイションが5000nm以上で、かつ、角度αが45°の範囲で認識状態が最も優れており（表１のａ）、またリターデイションが5000nm以上で、かつ、角度αが40°〜50°の範囲でも良好に認識でき、好ましかった（表１のｂ）。さらにリターデイションが4000nm以上で、かつ、角度αが35°〜55°の範囲でもやや視認特性は低下したが認識はできた（表１のｃ）。また、偏光めがねの角度によっては認識できないものを−で示した。 
【００１６】本発明ではリターデイションが大きな位相差板を使用しているため、位相差板に入射する直線偏光の波長の違いがわずかであっても、位相差板による常光線と異常光線との位相のズレは大きなものとなり、図２に示すように、位相のズレが１／４波長となる波長の光が可視光の波長領域に多数存在する。そのため、前述の角度αがほぼ35°〜55°、位相差板のリターデイションをほぼ4000nm以上にすることにより、偏光めがねをかけてどの方向から見ても、液晶表示デバイスの表示画面を認識することができる。 
【００１７】なお、図２は位相差板の角度αを45°、リターデイションが5000nm、偏光めがねの吸収軸方向Ｆをフロント側偏光板の吸収軸方向Ｃと直交する方向としたときの各波長に対する透過率を示す。ここでフロント側偏光板２の吸収軸方向Ｃと偏光めがね６の吸収軸方向Ｆを同一方向にし、位相差板４がないときの透過率を100％とした。」 
　 
（オ）図１、図２は以下のとおりである。 
　 
 イ　上記アの記載によれば、以下の技術事項が記載されている。 
 「２枚の透明基板で液晶層が挾持され、該２枚の透明基板の外側にそれぞれ偏光板が配置され、前記液晶層の一方の面で表示されてなる液晶表示デバイスであって、 
　前記液晶層の表示面側に配置されたフロント側偏光板の前面に位相差板を配置し、該位相差板はその光学軸が前記フロント側偏光板の吸収軸とほぼ３５°〜５５°の角度をなすように配置すると共に、前記位相差板のリターデイションをほぼ４０００ｎｍ以上の範囲に設定することにより、　 
　位相差板の複屈折性により常光線と異常光線とのあいだの位相のズレが１／４波長となる、円偏光に近い楕円偏光になる透過率のよい波長の光が、可視光の全波長領域（３８０ｎｍ〜７８０ｎｍ）にわたって多数存在（青色波長領域（３８０〜５００ｎｍ）、緑色波長領域（５００ｎｍ〜６００ｎｍ）、赤色波長領域（６００ｎｍ〜７８０ｎｍ)のいずれの波長領域においても存在）し、 
　偏光めがねをかけた観測者がどの方向から眺めても、表示面が偏った着色にならないで、確実に視認できる液晶表示デバイス。」（以下「引用例３の技術事項」という。） 
　 
（４）引用例４　 
 ア　引用例４には、以下の記載がある。　 
（ア）「【請求項１】　 
 
最前面に偏光板を有する表示素子と、
　前記表示素子の前方に配置され、面内にリターデーションを有する透光性カバーと、
　前記偏光板と前記透光性カバーとの間に配置され、前記透光性カバーのリターデーションの人間の視認に対する影響を低減する、面内にリターデーションを有する透光性光学素子と、
 を有する表示装置
【請求項２】　 
 前記透光性カバーのリターデーションと前記透光性光学素子のリターデーションとの和が２０００ｎｍ以上である請求項１記載の表示装置。　 
【請求項３】　 
 
前記透光性カバーのリターデーションと前記透光性光学素子のリターデーションとの和が４０００ｎｍ以上である
 … 
【請求項８】 
 
前記透光性光学素子のリターデーションの遅相軸方向が、前記偏光板の偏光軸と約４５度の角度をなす
　 
（イ）「【発明が解決しようとする課題】　 
【００１１】　 
　上述のように、最前面に偏光板を有する表示装置に、透光性カバーを設け、偏光サングラスなど偏光板を介して観察すると、表示が変化して視認性が悪化することがある。楔形水晶板などを用いて偏光解消を行えば、視認性は確保できるが、コストが高くなる。拡散フイルムで偏光解消する方法もある。この場合、コストは抑えられるが、表示にボケが生じ得る。　 
【００１２】　 
　本発明の目的は、最前面に偏光板を有する表示装置に、透光性カバーを設け、偏光サングラスなど偏光板を介して観察する場合にも、視認性を確保することのできる表示装置を提供することである。　 
【００１３】　 
　本発明の他の目的は、最前面に偏光板を有する表示装置に、透光性カバーを設け、
偏光サングラスなど偏光板を介して観察する場合にも、色付き,場所による濃淡のむら等表示のばらつきを防止できる
　 
（ウ）「【００３３】　 
　リターデーションの和が４０００ｎｍの場合、場所ごとに違う濃淡や色付きはどこから見ても認められず、全体的な色付きも全くなかった。どの方向から見ても、どのような角度に偏光サングラスの偏光軸を設定しても、表示部の明るさはほぼ一定であり、非常に見易いものであった。　 
【００３４】　 
　リターデーションフイルムの遅相軸の方向と偏光板の偏光軸のなす角度を変えてみた。リターデーション２０００ｎｍの場合と同様、３０度から６０度で好ましい効果が認められ、２０度から３０度、および６０度から７０度の範囲で低減した効果が認められた。　 
【００３５】　 
　ｘｙ面内で,ｘ軸から角度４５度のベクトルをｘ成分,ｙ成分に分解すれば,等しい大きさのｘ成分,ｙ成分が生じる。角度を４５度からずらせば,ｘ成分の大きさとｙ成分の大きさとに差が生じる。例えば、ｘ成分が大きいと,ｙ成分と等しい第１のｘ成分と余りの第２のｘ成分が生じ,第２のｘ成分は変化を受けない定常的成分となってしまう。言い換えれば,４５度から離して,干渉で変化する第１の成分が減少すると、リターデーションフイルムの効果が減少すると考えられる。角度を０度とすると、偏光板５から出射する直線偏光がリターデーションフイルムの遅相軸方向と一致するので、進相成分はなく、リターデーションフイルムを用いる効果が消滅するのであろう。」　
　 
（エ）「【００４５】　 
　以上の観察結果を検証するため、理論計算を行った。実際にはリターデーションフイルムの他にカバーが挿入されているが、カバーの主光軸とフイルムの主光軸が平行の場合、光学的には両者の和で考えても問題ないであろう。ポリカーボネート製のカバーに生じているリターデーションは、カバー単体で偏光板間に挿入した時の色付きの度合いから２００ｎｍから６００ｎｍ位と考えられ、場所的なばらつきも有する。ばらつきは不定であり、シミュレーションにおいては、ばらつきは無視した。　 
【００４６】　 
　直交ニコル配置の一対の偏光板の間に所定のリターデーションを有するリターデーションフイルムが遅相軸を偏光軸に対して４５度の角度で挿入された構成の可視光全域に亘る透過光スペクトルをシミュレーションで得た。計算に用いた偏光板は理想的なもので、全波長にわたって偏光度は１００％で、光吸収はないものとした。リターデーションフイルムは完全な１軸性で、光吸収はないものとした。界面での反射は考慮した。　 
【００４７】　 
　図４（Ａ）−（Ｅ）は、それぞれ、リターデーションが６００ｎｍ、１０００ｎｍ、２０００ｎｍ、４０００ｎｍ、６０００ｎｍの場合のシミュレーション結果を示すスペクトルである。透過光スペクトルは、波長に対してほぼ同じ振幅で極大値、極小値を繰り返し取る振動波形になることが判る。極大値、極小値の波長はリターデーションが変化すると左右にシフトする。リターデーションが大きくなるほど、振動の周期が短くなる。　 
【００４８】　 
　図４（Ａ）−（Ｅ）は、波長３８０ｎｍ−７８０ｎｍの透過率スペクトルである。図４（Ａ）では,１つの極大と１つの極小がある。図４（Ｂ）では,２つの極大と１つの極小がある。図４（Ｃ）では、４つの極大と３つの極小がある。図４（Ｄ）では,７つの極大と７つの極小がある。図４（Ｅ）では,１１の極大と１０の極小がある。　 
【００４９】　 
　従来例において、カバーのみを挿入した時リターデーションは２００ｎｍから６００ｎｍである。これは、図４（Ａ）ないし図４（Ａ）から図４（Ｂ）とは逆方向に変化したものにほぼ相当する。可視光領域において高々１つの極大ピーク（および高々１つの極小ピーク）が現れるであろう。実際には、場所的なばらつきにより、場所的にピーク波長は変化するであろう。少ないピークを持つスペクトルはかなりの色付きを持つことが知られている。従来例において色付きが観察されたことが説明できる。リターデーションが小さい場合には極大値が１つだけ現れる。色付きは少なくなり、濃淡のばらつきが生じることになろう。　 
【００５０】　 
　ポリカーボネートのカバーの他にリターデーションの小さな（６００ｎｍ、１０００ｎｍ）リターデーションフイルムを用いた場合、表示部にはリターデーションが数百ｎｍから千数百ｎｍ程度のリターデーションがばらついて分布していることになる。図４（Ａ），（Ｂ），（Ｃ）から推察されるように、可視光領域に１つから２、３個程度の極大ピークと対応する極小ピークを持つスペクトルが、場所ごとにピーク波長を変化させながら出射することになる。　 
【００５１】　 
　図４（Ａ）の場合は青色に、図４（Ｂ）の場合は紫色に色付くというように、数本程度以下のピークを持つスペクトルはかなり激しい色付きを持つ。リターデーションフイルムを用いても却って結果が悪くなった場合が説明できる。　 
【００５２】　 
　図４（Ｃ），（Ｄ），（Ｅ）のように、リターデーションが大きくなると
可視光領域にかなり多く（４本以上）の極大ピークを持つスペクトルが場所毎にピーク波長位置を変化させながら出射する。この時、人間の目が波長に対して持つ積分作用により、このような複数のピークを有するスペクトルの光はもはや色に分解できず、全波長ほぼ同じ強度の白表示に見える
色付きむらや濃淡むらを消し去る
【００５３】　 
　リターデーション２０００ｎｍで僅かな色付きが見られたのは、ピークの本数が少ないため人間の目の色分解能が僅かではあるが働いたためと考えられる。　 
【００５４】　 
　図５（Ａ），（Ｂ）は、リターデーション６０００ｎｍで、リターデーションフイルムの遅相軸と偏光板の偏光軸とのなす角度を変えた場合を示す。図５（Ａ）は３０度の場合を示し、図５（Ｂ）は０度の場合を示す。図４（Ｅ）と図５（Ａ）とを比較すると、角度を４５度から離すに従い、スペクトルの振幅が小さくなることが判る。０度の時は、振動がなくなり、振幅が０になっている。これは、前述のようにリターデーションの軸方向と偏光の方向によりリターデーションで変化する成分が減少,ないし消滅すると考えることもできよう。　 
【００５５】　 
　このように、大きなリターデーションを有するフイルムを挿入することにより色付き、濃淡を防止できるが、これは偏光を解消しているわけではない。偏光状態を変化させ、波長によりその効果を異ならせているものである。　 
【００５６】　 
　直交ニコル偏光子を用いた場合、入射光は直線偏光になり、リターデーションフイルムで面内方向により異なるリターデーションをうける。遅相軸成分が反転した状態となると９０度の偏光軸回転となり、直交ニコルを透過する。１８０度回転すると再び遮光される。中間状態では円偏光または楕円偏光となる。波長によってこのような偏光状態の変化が生じ、波長に対して振動を示す。」　 
　 
（オ）図４、図５は、以下のとおりである。　 
　
 イ　上記アの記載によれば、以下の事項が記載されている。　 
 「最前面に偏光板を有する表示素子と、　 
　前記表示素子の前方に配置され、面内にリターデーションを有する透光性カバーと、　 
　前記偏光板と前記透光性カバーとの間に配置され、前記透光性カバーのリターデーションの人間の視認に対する影響を低減する、面内にリターデーションを有する透光性光学素子と、　 
 を有する表示装置であって、　 
　前記透光性カバーのリターデーションと前記透光性光学素子のリターデーションとの和が４０００ｎｍ以上であり、　 
　前記透光性光学素子のリターデーションの遅相軸方向が、前記偏光板の偏光軸と約４５度の角度をなすことにより、　 
　可視光領域にかなり多く（４本以上）の極大ピークを持つスペクトルが場所毎にピーク波長位置を変化させながら出射し、人間の目が波長に対して持つ積分作用により、このような複数のピークを有するスペクトルの光はもはや色に分解できず、全波長ほぼ同じ強度の白表示に見え、色付きむらや濃淡むらを消し去り、 
　偏光サングラスなど偏光板を介して観察する場合にも、色付き,場所による濃淡のむら等表示のばらつきを防止できる、　 
　表示装置。」（以下「引用例４の技術事項」という。）　 
　 
（５）引用例５　 
 ア　引用例５には、以下の記載がある。　 
（ア）「【請求項１】　 
 
第１および第２電極基板と、前記第１および第２電極基板間に挟持され、前記第１および第２電極基板間でねじれて配向される正の誘電率異方性を有するネマチック液晶材料を含み、液晶分子配列が前記第１および第２電極基板から各々制御される複数の表示画素に区分される液晶層と、前記第１および第２電極基板うちの少なくとも一方上に配置される偏光板と、前記複数の表示画素からなる表示画面に対応して前記偏光板上に配置される光学部材層を備え
前記光学部材層はリタデーション値が２４００ｎｍ以上でかつ光学軸が水平方向に対して３０度〜６０度の角度に設定される光学特性を持つ
液晶表示装置
【請求項２】　 
 前記光学部材層はタッチパネル、フロントライト用導光板、およびカバーガラスの少なくとも１つを含むことを特徴とする請求項１に記載の液晶表示装置。」　 
　 
（イ）「【０００５】　 
【発明が解決しようとする課題】　 
 しかし、上述の光学特性は、モバイル機器が例えば海や山に携行される場合に問題となる。このような場所では、ユーザが不要光を取り除いて眩しさを低減する偏光サングラスを着用していることがある。この
偏光サングラスを着用した状態では、表示画面がランドスケープモードおよびポートレートモードのどちらかで著しく暗くなってしまう
【０００６】　 
 本発明は、このような問題に鑑みてなされたものであり、
表示画面の明るさが偏光サングラスの着用によって低下することを防止できる
　 
（エ）「【０００９】　 
【発明の実施の形態】　 
 以下、本発明の一実施形態に係る液晶表示装置について添付図面を参照して説明する。この液晶表示装置はＰＤＡ（Ｐｅｒｓｏｎａｌ　Ｄｉｇｉｔａｌ　Ａｓｓｉｓｔａｎｃｅ）のようなモバイル機器に画像モニタとして組み込まれるもので、
表示画面が横長となる向きに設定されるランドスケープモードおよび表示画面が縦長となる向きに設定されるポートレートモード
 …　 
【００１７】　 
 また、対向基板ＣＴでは、赤、緑、および青のストライプ状カラーフィルタＣＦが各々対応列の画素電極ＰＥに対向して行方向に順番に並ぶようにしてガラス板等の絶縁基板２０上に形成され、ＩＴＯ等の透明導電部材からなる対向電極ＣＥがカラーフィルタＣＦ上に形成され、さらに配向膜２１が対向電極ＣＥを覆って形成される。　 
 …　 
【００２０】　 
 図４は図１に示す表示画面ＤＳをランドスケープモードで使用する場合の光学系を示し、図５は図１に示す表示画面ＤＳをポートレートモードで使用する場合の光学系を示す。ランドスケープモードは表示画面ＤＳが横長になる向きであり、ポートレートモードは表示画面ＤＳが縦長になる向きである。これらモードでは、画像表示時に着用状態にある偏光サングラス３３の吸収軸が光学部材層３２の光学軸および偏光板３１の吸収軸に対して図４および図５に示すような関係になる。　 
【００２１】　 
 
光学部材層３２としてタッチパネルを採用し、光学部材層３２および偏光板３１の光学特性を水平方向に対する光学部材層光学軸の角度θ＝４０度、リタデーション値Ｒ＝５０００ｎｍ、水平方向に対する偏光板吸収軸の角度φ＝１７５度に設定した
光透過率特性が偏光サングラス３３を着用した状態で
【００２２】　 
 …ここでは、光学部材層のリタデーション値Ｒ≧２４００ｎｍが、図６、図７および図８に示すように
可視光領域で３個以上のピークを得る
 …　 
【００２７】　 
 また、
光学部材層３２はタッチパネル、フロントライト用導光板、およびカバーガラスの
の組み合わせ
により構成
全体として光学部材層３２はリタデーション値Ｒ（＝Δｎｄ、ここでΔｎ：屈折率，ｄ：層厚）が２４００ｎｍ以上でかつ光学軸θが水平方向に対して３０度〜６０度の角度に設定される光学特性を持つことが必要である
　 
（オ）図４〜６は、以下のとおりである。　 
　
 イ　上記アの記載によれば、以下の事項が記載されている。　 
 「第１および第２電極基板と、前記第１および第２電極基板間に挟持され、前記第１および第２電極基板間でねじれて配向される正の誘電率異方性を有するネマチック液晶材料を含み、液晶分子配列が前記第１および第２電極基板から各々制御される複数の表示画素に区分される液晶層と、前記第１および第２電極基板うちの少なくとも一方上に配置される偏光板と、前記複数の表示画素からなる表示画面に対応して前記偏光板上に配置される光学部材層を備え、　 
　前記光学部材層はリタデーション値が２４００ｎｍ以上でかつ光学軸が水平方向に対して３０度〜６０度の角度に設定される光学特性を持つことにより、 
　例えば、光学部材層３２としてタッチパネルを採用し、光学部材層３２および偏光板３１の光学特性を水平方向に対する光学部材層の光学軸の角度θ＝４０度、リタデーション値Ｒ＝５０００ｎｍ、水平方向に対する偏光板吸収軸の角度φ＝１７５度に設定することにより、　 
　偏光サングラスを着用した状態での光透過率特性が可視光領域で３個以上のピークが得られ、 
　表示画面が横長となる向きに設定されるランドスケープモードおよび表示画面が縦長となる向きに設定されるポートレートモードのどちらかで表示画面の明るさが偏光サングラスの着用によって低下することを防止する、　 
　液晶表示装置。」（以下「引用例５の技術事項１」という。） 
　 
 ウ　上記ア（エ）【００２７】の記載によれば、以下の事項が記載されている。 
 「光学部材層がタッチパネル、フロントライト用導光板、およびカバーガラスの組合せで構成される場合、全体としてのレタデーション値が２４００ｎｍ以上でかつ光学軸θが水平方向に対して３０度〜６０度の角度に設定される光学特性を持つことが必要であること。」（以下「引用例５の技術事項２」という。） 
　 
 ３　対比（本件発明１）　 
　本件発明１と引用発明を対比する。 
（１）本件発明１の「連続的な発光スペクトルを有する白色光源」、「画像表示セル」、「前記画像表示セルより視認側に配置される偏光子」と、引用発明の「液晶ディスプレイ」を対比する。　
　引用発明の「液晶ディスプレイ」は、携帯電話に搭載するものであるところ、そのような液晶ディスプレイは、一般に、バックライトとしての光源、液晶表示セル、液晶表示セルの両側（視認側と光源側）に配置される偏光子を備えるものである。　
　してみると、両者は、「光源」、「液晶表示セル」、「前記液晶表示セルより視認側に配置される偏光子」の点で一致する。　
　
（２）本件発明１の「前記偏光子より視認側に配置される、透明導電層が積層された基材フィルム」と、引用発明のタッチパネル７のタッチ部９が備える「微小間隔な多数の電極Ｘ１〜Ｘ８を形成した」「透明な誘電体膜（たとえば、ＰＥＴ）１４」であって、「電極Ｘ１〜Ｘ８…は透明な導電素材、たとえば、ＩＴＯ（Indium Tin Oxide：酸化インジウム錫）などを蒸着または塗布もしくは印刷して形成されて」いる「透明な誘電体膜（たとえば、ＰＥＴ）１４」を対比する。　
　引用発明のタッチパネル７のタッチ部９は、表示面に接して配置されるから、液晶ディスプレイが当然に備える「偏光子」より視認側に配置されている。そして、引用発明の「透明な導電素材、たとえば、ＩＴＯ（Indium Tin Oxide：酸化インジウム錫）などを蒸着または塗布もしくは印刷して形成され」た「電極Ｘ１〜Ｘ８」は、本件発明１の「透明導電層」に相当し、引用発明の「透明な誘電体膜（たとえば、ＰＥＴ）１４」は、本件発明１の「基材フィルム」に相当する。してみると、両者は相当関係にある。　
　
（３）本件発明１の「前記基材フィルムよりも視認側に配置される飛散防止フィルム」と、引用発明の「ガラス…の保護用透明板１３」の「ガラス表面に貼り付けたガラス破片の飛散防止用の保護膜（たとえば、保護用透明フィルム）」を対比する。　
　引用発明は、「Ｘ電極層１１」の上に「Ｙ電極層１２」を積層配置し、「そのＹ電極層１２の上面に」「保護用透明板１３」を配置しているから、引用発明の「ガラス破片の飛散防止用の保護膜（たとえば、保護用透明フィルム）」は、「Ｘ電極層１１」よりも上側（視認側）に配置されている。そして、引用発明の「ガラス破片の飛散防止用の保護膜（たとえば、保護用透明フィルム）」は、本件発明１の「飛散防止フィルム」に相当する。してみると、両者は相当関係にある。　
　
（４）本件発明１の「画像表示装置」と引用発明の「液晶ディスプレイ」を対比すると。両者は「液晶表示装置」の点で一致する。　
　 
（５）以上によれば、本件発明１と引用発明は、 
 「（１）光源、　
（２）液晶表示セル、　
（３）前記液晶表示セルより視認側に配置される偏光子、　
（４）前記偏光子より視認側に配置される、透明導電層が積層された基材フィルム、及び　
（５）前記基材フィルムよりも視認側に配置される飛散防止フィルム、　
 を有する、　
 液晶表示装置。」　
 の点で一致し、以下の点で相違する。 
　
 相違点１−１：「光源」に関し、本件発明１は、「連続的な発光スペクトルを有する白色光源」であるのに対し、引用発明は、そのようなものなのか否か明らかでない点。 
 相違点１−２：「基材フィルム」と「飛散防止フィルム」に関し、本件発明１は、 
 ア　「前記基材フィルム及び前記飛散防止フィルムは、いずれも３０００ｎｍ以上１５００００ｎｍ以下のリタデーションを有する配向フィルムであり」、 
 イ　「前記基材フィルム及び前記飛散防止フィルムの少なくとも一方は、リタデーション（Ｒｅ）と厚さ方向のリタデーション（Ｒｔｈ）の比（Ｒｅ/Ｒｔｈ）が０．２以上２．０以下であり」 
 ウ　「前記基材フィルム及び前記飛散防止フィルムは、互いに異なるリタデーションを有し、その差が１９００ｎｍ以上であり」、 
 エ　「前記基材フィルムの配向主軸と前記偏光子の偏光軸とが形成する角は、４５度±３０度以下であり」、 
 オ　「前記飛散防止フィルムの配向主軸と前記偏光子の偏光軸が形成する角は、４５度±３０度以下であり」、 
 カ　「前記基材フィルムの配向主軸と前記飛散防止フィルムの配向主軸とが形成する角は、３０度以下であ」り、 
 キ　「但し、前記基材フィルムの配向主軸と前記飛散防止フィルムの配向主軸とが形成する角が１度以下である画像表示装置を除く」 
 のに対し、引用発明は、そのようなものであるのか否か明らかでない点。 
　 
 ４　判断（本件発明１） 
（１）はじめに、複屈折部材と光の偏光状態に関する技術常識、周知技術について検討する。なお、以下では、複屈折を有すること、光学異方性を有すること、リタデーションを有することは、いずれも、同旨で使用しており、異方性フィルム、リタデーションフィルム、配向フィルム、位相差フィルムも、同旨で使用している。 
　
 ア　「複屈折を有する物質の板に偏光が入射する場合、偏光の偏りの方向が複屈折を有する物質の板の光軸に対し４５度の傾きを持つと、ｘ方向とｙ方向の振動の位相差が、物質に入り込む深さに比例して変化し、偏光状態が、直線偏光　→　楕円偏光　→　円偏光　→　楕円偏光　→　直線偏光（もとの方向に対して直角）　→　…　と変化すること。」は、以下のとおり、光学分野における技術常識（以下「技術常識１」という。）である。
　引用例６には、以下の記載がある。
 「複屈折をする物質の板を偏光で照らしたとき、どのようなことが起こるかそれを調べてみよう。もし偏りの方向が光軸と平行である場合には、光はただ一つの速度で板を通り抜ける。またもし偏りの方向が光軸に垂直ならば、光はちがった速度で伝わっていく。ところが
直線の偏りの方向が光軸に対したとえば４５°の傾きを持つとすると
物質中では両振動の位相差が物質に入り込む深さに比例する
直線偏光を２枚の１／４波長板を通せば
その振動方向はもとの方向に対して直角になる
　図８−２は以下のとおりである。　 
　
　上記記載によれば、
「複屈折を有する物質の板に偏光が入射する場合、偏光の偏りの方向が複屈折を有する物質の板の光軸に対し４５度の傾きを持つと、ｘ方向とｙ方向の振動の位相差が、物質に入り込む深さに比例して変化すること。」
が開示されている。ここで、図８−２を参酌すると、ｘ方向とｙ方向の振動の位相差が大きくなるに従い、偏光状態が、直線偏光　→　楕円偏光　→　円偏光　→　楕円偏光　→　直線偏光（もとの方向に対して直角）　→　…　と変化することが理解できる。 
　
 イ　「異方体の光軸方向を平行にして二つの異方体を重ねた場合、全体のリタデーションは二つの異方体のリタデーションの和（相加）となり、異方体の光軸方向を直交して二つの異方体を重ねた場合、全体のリタデーションは二つの異方体のリタデーションの差（相滅）となり、光軸方向が平行と直交の中間では、位相量の相加から相滅まで三角関数的に減少すること。」は、以下のとおり、複屈折部材に関する技術常識（以下「技術常識２」という。）である。 
　
（ア）引用例７には以下の記載がある。 
ａ　「２．異方体の重ね合わせ
　二つの異方体を対角位で重ねる時において、それぞれの異方体の速度の遅い光の振動方向（ｚ’方向）を同じにして重ねた場合（図２−６ａ）と
二つのｚ’方向を直交して重ねた場合（図２−６ｂ）
　図２−６ａのように
二つの異方体のｚ’方向を同じ方向にして重ねた場合は
全体のレタデーションは二つの異方体のレタデーションの和
　Ｒ＝Ｒ１＋Ｒ２（Ｒ１、Ｒ２は異方体１、２のレタデーション）
この状態を相加additionという。これに対して
図２−６ｂ
全体のレタデーションは二つの異方体のレタデーションの差となる
　Ｒ＝Ｒ１〜Ｒ２
この状態を相減substructionという。」
　
ｂ　図２−６は以下のとおりである。 
（イ）特開２００７−１１２８０号公報には以下の記載がある。
ａ「【０１０７】
　図１４Ａは第１，第２の２枚の位相差フィルム６１，６２の積層体でなる位相差板の製造方法を説明する図である。位相差フィルム６１の面内の主屈折率をｎ１ｘ，ｎ１ｙ、位相差フィルム６２の面内の主屈折率をｎ２ｘ，ｎ２ｙで示している。ｎ１ｘおよびｎ２ｘは各位相差フィルム６１，６２の遅相軸すなわち光学軸であり、ｎ１ｙおよびｎ２ｙは各位相差フィルム６１，６２の進相軸を表している。
…
【０１１０】
　図１４Ｂに示したように、
第１の位相差フィルム６１に対する第２の位相差フィルム６２の回転角度θ１が大きくなるにしたがって、フィルム全体の面内位相差量が三角関数的に減少する
第１，第２の位相差フィルム６１，６２の各々の遅相軸ｎ１ｘ，ｎ２ｘがそれぞれ同一方向に配向されているときは、フィルム全体の位相差量は個々のフィルムがもつ位相差量の総和
となる
第１，第２の位相差フィルム６１，６２の各々の遅相軸ｎ１ｘ，ｎ２ｘが互いに直交する場合は、個々のフィルムがもつ位相差量の差
となる
 ｂ　図１４は以下のとおりである。 
　
ウ　「偏光サングラスを掛けて液晶表示装置の画面を視認すると、視認する角度により視認性が低下する旨の技術課題」があることは当業者に周知（以下「周知の技術課題」という。）であり、「連続的なスペクトルを有する白色光源を用いるとともに、液晶表示装置の視認側偏光板の視認側に、高いリタデーション（例えば、３０００ｎｍ以上）の部材（部材が複数ある場合には、全体として高いリタデーションの複数の部材）を、前記偏光板の吸収軸と前記高いリタデーションの部材の遅相軸とのなす角が凡そ４５度となるように配置する技術手段」により解決できることも、周知（以下「周知の解決手段」という。）である。
　例えば、引用例２の技術事項１によれば、バックライト光源として連続的な発光スペクトルを有する白色発光ダイオードを用いるとともに、液晶表示装置の偏光板の視認側に、３０００〜３００００ｎｍのリタデーションを有する高分子フィルムを、前記偏光板の吸収軸と前記高分子フィルムの遅相軸とのなす角が凡そ４５度となるように配置することで、サングラスなどの偏光板を通して液晶表示装置の画面を観察した時、その観察角度によらず高度に良好な視認性を確保している。
　引用例３の技術事項によれば、液晶表示デバイスのフロント側偏光板の前面に、リターデイションをほぼ４０００ｎｍ以上に設定した位相差板をその光学軸が前記フロント側偏光板の吸収軸とほぼ３５°〜５５°の角度をなすように配置することで、偏光めがねをかけた観測者がどの方向から眺めても、表示面が偏った着色にならないで、確実に視認できるようにしている。ここで、可視光の全波長領域（３８０ｎｍ〜７８０ｎｍ ）にわたって透過率のよい波長の光が多数存在していること、図２の横軸に連続した波長が描かれていることから、光源は連続的なスペクトルを有しているものと認められる。
　引用例４の技術事項１によれば、最前面に偏光板を有する表示素子の前方に、和が４０００ｎｍ以上のリタデーションを有する透光性カバーと透光性光学素子を、透光性光学素子のリターデーションの遅相軸方向が、前記偏光板の偏光軸と約４５度の角度をなすように配置することにより、偏光サングラスなど偏光板を介して観察する場合にも、色付き,場所による濃淡のむら等表示のばらつきを防止している。ここで、可視光領域にかなり多く（４本以上）の極大ピークを持つスペクトルが場所毎にピーク波長位置を変化させながら出射していること、図４の横軸に連続した波長が描かれていることから、光源は連続的なスペクトルを有しているものと認められる。
　引用例５の技術事項１、２によれば、液晶表示装置の偏光板上に、リタデーション値が２４００ｎｍ以上の光学部材層を、光学軸が水平方向に対して３０度〜６０度の角度（例えば、光学部材層光学軸と偏光板の吸収軸のなす角度を４５度）に配置することにより、表示画面が横長となる向きと表示画面が縦長となる向きのどちらかで表示画面の明るさが偏光サングラスの着用によって低下することを防止している。ここで、偏光サングラスを着用した状態での光透過率特性が可視光領域で３個以上のピークを得ていること、図６の横軸に連続した波長が描かれていることから、光源は連続的なスペクトルを有しているものと認められる。
　なお、液晶表示パネルの画面を偏光サングラスを掛けて視認する場合には、視認する角度により、液晶表示パネルから出射した直線偏光の光が偏光眼鏡で吸収されるので見えなくなったり、暗くなって視認性が低下する。一方、液晶表示パネルの画面を低リタデーションの部材を介して、偏光サングラスを掛けて視認する場合には、液晶表示パネルから出射した光の偏光状態が低リタデーションの部材により波長毎に変換される（技術常識１参照。例えば、直線偏光から円偏光や楕円偏光に変換される）ため、偏光眼鏡を透過する透過率が波長毎に変わり、色斑が見えて視認性が低下する。低リタデーションの部材を介するか否かにより、暗くなるのかあるいは色斑が見えるのか、見え方の点で相違するが、両者は、液晶表示パネルから出射する光が直線偏光であることと、偏光サングラスの特性に起因して生じる点で共通する周知の技術課題であり、いずれも、周知の解決手段で解決できるものである。
エ　（タッチパネルを構成する）基材フィルムとして、リタデーションを有する基材フィルムは、下記（ア）、（イ）の刊行物に記載されように、周知である。
（ア）特許第５０５１３２８号公報（甲第３号証）
「【請求項１】
ポリエステル基材上にプライマー層が形成され、前記プライマー層上にハードコート層が形成された光学積層体であって、
前記ポリエステル基材は、８０００ｎｍ以上のリタデーションを有し
前記プライマー層の屈折率（ｎｐ）と、前記ポリエステル基材の遅相軸方向の屈折率（ｎｘ）及び進相軸方向の屈折率（ｎｙ）が、ｎｙ＜ｎｐ＜ｎｘなる関係を有し、
前記ハードコート層の屈折率（ｎｈ）と、前記ポリエステル基材の遅相軸方向の屈折率（ｎｘ）及び進相軸方向の屈折率（ｎｙ）が、ｎｙ＜ｎｈ＜ｎｘなる関係を有する
ことを特徴とする光学積層体。」
「【００９５】
…図３に示した本発明の
タッチパネル
本発明の光学積層体
透明導電体層３７
（イ）特開２００９−１６９８３７号公報
「【０００８】
　本発明の目的は、偏光サングラスをかけてタッチパネルを見た場合であっても、液晶表示に虹色のムラが発生しない、視認性のよい
タッチパネル付き液晶ディスプレイ
【課題を解決するための手段】
【０００９】
　上記目的を達成するために、本発明によれば以下のような特徴を有するタッチパネル付き液晶ディスプレイが提供される。
【００１０】
　請求項１の発明では、
１/４波長位相差板
る基板の表面に設けられる透明導電膜を備えた下部電極板とを有し、上部電極板と下部電極板とが、それぞれの透明導電膜を互いに導電接触可能に対向かつ離間させた相対配置で組み合わされ、下部電極板の上部電極板と対向する面と反対側の面に、液晶ディスプレイを有するタッチパネルにおいて、１/４波長位相差板の光学軸角度と、液晶ディスプレイの偏光板吸収軸角度との角度差が、４５±５度の範囲に配置されていること、を特徴とする。」
オ　飛散防止フィルムとして、リタデーションを有する飛散防止フィルムは、下記（ア）〜（エ）の刊行物に記載されように、周知である。
（ア）国際公開２００８／０４７７８５号
「［００２９］また、強化ガラス５の表面に飛散防止フィルムを貼り付けることができる。これにより、強度の衝撃や表示面に対する強度の押圧があった場合に強化ガラス５が割れて、ガラスの破片が飛び散ることが防止することができる。また、
飛散防止フィルムに上記光学異方性の特性を持たせる
（イ）特開２０１３−２０１３５号公報
「【００１０】
当該光学シートは、位相差フィルムの一方の面側にハードコート層を有している
当該光学シートは、ガラス基板の破片等が飛散するのを効果的に防止する
（ウ）特開平４−１６３１３８号公報
　リタデーションが８０００ｎｍ以上のポリエステルフィルムが開示されている。ガラスの破損時に破片の飛散を防止することは１頁右下欄７−８行等を、偏光サングラスは第６頁右上欄２行等を参照。
（エ）特開２０１２−２１４０２６号公報
【００２５】には、さらに好ましいものとして、リタデーションが３０００ｎｍ以上のフィルムが、【０００２】、【００４１】には飛散防止機能を持つことが、偏光サングラス対応は【００１２】等に開示されている。
（２）次に、本件発明１の発明特定事項が有する技術的意義について検討する。
ア　相違点１−２のア（基材フィルム及び飛散防止フィルムは、いずれも３０００ｎｍ以上１５００００ｎｍ以下のリタデーションを有する配向フィルムであること）について
　本件明細書には、以下の記載がある。
「【００２２】
＜配向フィルムのリタデーション＞
　前記２枚の配向フィルムのリタデーションは、
虹斑を低減するという観点
下限値は、好ましくは４５００ｎｍ以上、好ましくは６０００ｎｍ以上、好ましくは８０００ｎｍ以上、好ましくは１００００ｎｍ以上
薄型化への要請に反し兼ねない
　上記記載によれば、基材フィルム及び飛散防止フィルムが「３０００ｎｍ以上１５００００ｎｍ以下のリタデーションを有する」技術的意義は、リタデーションを高くすることによる視認性の改善効果と、画像表示装置（配向フィルム）の薄型化への要請との兼合いにあるものと認められる。
イ　相違点１−２のウ（基材フィルム及び飛散防止フィルムは、互いに異なるリタデーションを有し、その差が１９００ｎｍ以上であること）、カ（基材フィルムの配向主軸と飛散防止フィルムの配向主軸とが形成する角は、３０度以下であること）について
　本件明細書には以下の記載がある。
「【００１７】
　画像表示装置が表示する画像における虹斑等の色調の乱れを抑制するという観点から、前記
２枚の高リタデーション配向フィルムのリタデーションの差は、好ましくは１８００ｎｍ以上
【００１８】
　画像表示装置が表示する画像における虹斑等の色調の乱れを抑制するという観点から、前記
２枚の高リタデーション配向フィルム
の配向主軸が互いに略平行であるように配置されることが好ましい
好ましくは０度±２０度以下であり
【００１９】
　…２枚の高リタデーション配向フィルムは、互いの配向主軸が平行であることが好ましいが、
２枚のフィルムのリタデーション差が大きいほど、上記角度の許容範囲は大きくなる
「【００２３】
　本書において、３０００ｎｍ以上１５００００ｎｍ以下のリタデーションを有する１枚の配向フィルムは、その配向主軸が略平行である限り、隣接する２枚以上の配向フィルムが組合せられることによって構成されるものであっても良い。例えば、２０００ｎｍのリタデーションを有する配向フィルムと１０００ｎｍの配向フィルムの配向主軸が平行状態にあるとき、これらは３０００ｎｍのリタデーションを有する１枚の配向フィルムとみなすことができる。ここで、
略平行とは、２つの配向主軸が形成する角
が０度±２０度以下
である
１枚のフィルムとみなすことができる
　上記記載によれば、２枚のリタデーション配向フィルム（基材フィルム及び飛散防止フィルム）の配向主軸は、互いに略平行（好ましくは０度±２０度以下）であるように配置されるのが好ましいことが開示されている。２枚の配向フィルムは、その配向主軸が平行状態にあるとき、和のリタデーションを有する１枚の配向フィルムとみなすことができ、全体のリタデーションが大きくなるため好ましいものと解される。
　また、上記記載によれば、２枚のリタデーション配向フィルム（基材フィルム及び飛散防止フィルム）のリタデーション差が大きければ、その配向主軸がなす角度の許容範囲が大きくなることが理解できる。そして、上記「第２　２（２）ア（イ）」に記載した本件明細書の表１の試験Ｎｏ．１によれば、リタデーション差が０ｎｍの場合に、視認側配向フィルムの配向主軸と光源側配向フィルムの配向主軸が形成する角が概ね２０度以下で虹斑が目立たないことが開示され、試験Ｎｏ．５によれば、リタデーションの差が１９００ｎｍの場合に、前記角が概ね３０度以下で虹斑が目立たないことが開示されている。
　そうすると、基材フィルム及び飛散防止フィルムは、その配向主軸が形成する角が略平行（本件発明１では、１度を超えて２０度以下）であることは、全体のリタデーションが各リタデーションとの和となり、リタデーション差の有無に関わらず虹斑が低減する意義を有するものと解される。また、２枚の飛散防止フィルムの配向主軸が形成する角が概ね２０度を超えて３０度迄であれば、リタデーション差が１９００ｎｍ以上の場合に虹斑が低減する技術的意義を有するものと解される。なお、配向主軸が形成する角が略平行の範囲（１度を超えて概ね２０度以下の範囲）では、リタデーション差の有無に関わらず虹斑が低減するから、配向主軸が略平行である画像表示装置においては、基材フィルム及び飛散防止フィルムのリタデーションの差が１９００ｎｍ以上であることに格別の技術的意義は認めらない。
ウ　相違点１−２のオ（基材フィルムの配向主軸と飛散防止フィルムの配向主軸とが形成する角が１度以下である画像表示装置を除くこと）について
　本件明細書には以下の記載がある。
「【００１５】
　…前記２枚の高リタデーション配向フィルムは、それらの配向主軸が互いに略平行であるように配置されることが好ましい。」
「【００１８】
　画像表示装置が表示する画像における虹斑等の色調の乱れを抑制するという観点から、前記２枚の高リタデーション配向フィルムは、それらの配向主軸が互いに略平行であるように配置されることが好ましい。よって、２枚の配向フィルムの配向主軸が形成する角度（２枚の高リタデーション配向フィルムが同一平面上にあると仮定する）は、好ましくは０度±２０度以下であり、…、好ましくは０度である。」
「【００１９】
　…２枚の高リタデーション配向フィルムは、互いの配向主軸が平行であることが好ましいが、…」
との記載がある。上記記載によれば、２枚の飛散防止フィルムの配向主軸は、互いに平行であることが好ましく、上記相違点１−２のキに係る本件発明１の発明特定事項は、好ましい態様を除くものであって、除くことに格別の技術上の意義を有するものとは認められない。なお、この特定事項は本件訂正請求により請求項１に追加されたものであり、特許権者は訂正請求書において、新たな技術的事項を導入するものではない旨説明している。
（３）上記（１）、（２）を踏まえ、以下、相違点１−１、１−２についてまとめて検討する。
ア　引用発明の液晶ディスプレイは、表示面の視認側にタッチパネルを配置した液晶ディスプレイであり、例えば、携帯電話に搭載されるから、偏光サングラスを掛けた状態で視認することが想定される液晶ディスプレイである。そうすると、引用発明の液晶ディスプレイは、偏光サングラスを掛けて画面を視認すると、視認する角度により視認性が低下する旨の周知の技術課題を有するから、該周知の技術課題を解決する目的で周知の解決手段を採用すること、すなわち、連続的な発光スペクトルを有する白色光源を用いるとともに、表示面の視認側偏光板の視認側に、高いリタデーション（例えば、３０００ｎｍ以上）の部材（部材が複数ある場合には、全体が高いリタデーションである複数の部材）を、前記偏光板の吸収軸と前記高いリタデーションの部材の遅相軸とのなす角が凡そ４５度となるように配置することは、当業者が容易に想到することである。ここで、引用発明の表示装置はタッチ部が備える「基部用透明板１０」、ガラス破片の「飛散防止用の保護膜（たとえば、保護用透明フィルム）」を備えるところ、タッチパネルが備える基材や飛散防止フィルムとしてリタデーションを有するものは周知である（上記（１）エ、オ参照。）こと、表示装置に用いる光学フィルムに複数の機能を持たせて表示装置に用いるフィルム枚数を低減することは周知の技術手段であること、周知の解決手段におけるリタデーションは高い方が虹斑を低減する観点で好ましいことを踏まえると、引用発明に周知の解決手段を採用する際、基部用透明板１０、飛散防止用の保護膜（たとえば、保護用透明フィルム）を高いリタデーション（例えば、３０００ｎｍ以上）を有するフィルムとすることに困難性はなく、また、種々のリタデーションを有するフィルムが周知（例えば引用例２の技術事項２には、リタデーションが３７２４ｎｍ、リタデーション（Ｒｅ）と厚さ方向のリタデーション（Ｒｔｈ）の比（Ｒｅ/Ｒｔｈ）が０．８４８のＰＥＴフィルム−１、リタデーションが２１５２０ｎｍ、リタデーション（Ｒｅ）と厚さ方向のリタデーション（Ｒｔｈ）の比（Ｒｅ/Ｒｔｈ）が０．８３２のＰＥＴフィルム−２が開示されている。また、上記（１）エに例示した特許第５０５１３２８号公報には、８０００ｎｍ以上のリタデーションを有するポリエステル基材をタッチパネルに使用することが例示され、上記（１）オ（エ）に例示した特開２０１２−２１４０２６号公報には、３０００ｎｍ以上の飛散を防止するフィルムが記載されている。）であるから、基材フィルムと飛散防止フィルムとして、リタデーションの差が１９００ｎｍ以上であり、リタデーション（Ｒｅ）と厚さ方向のリタデーション（Ｒｔｈ）の比（Ｒｅ/Ｒｔｈ）が０．２以上２．０以下のフィルムを採用し、その遅相軸と偏光板の吸収軸とのなす角が凡そ４５度となるように配置し、上記相違点１−１、相違点１−２ア、イ、エ、オに係る本件発明１の発明特定事項となすことは、当業者が適宜為しうる事項である。
イ　そして、引用発明の「基部用透明板１０」と「飛散防止用の保護膜（たとえば、保護用透明フィルム）」は、全体として高いリタデーション（例えば、３０００ｎｍ以上）を有すればよいから、各フィルムのリタデーション値や配向軸の形成する角をどのように設定するかは、技術常識２を踏まえて、当業者が適宜設定する設計事項と認められ、例えば、全体のリタデーションが大きくなる相加の関係となるよう、配向主軸が形成する角を略平行（±２０度以下、但し１度以下を除く）となるように配置し、上記相違点１−２カ、キに係る本件発明１の発明特定事項となすことは、当業者が容易になし得る事項である。
ウ　以上によれば、引用発明に周知の解決手段を採用し、上記相違点１−１、１−２ア〜キに係る本件発明１の発明特定事項となすことは、引用発明、技術常識１、２、周知技術、周知の技術課題と周知の解決手段に基づいて当業者が容易に予測しうるものと認める。
（２）作用効果について
　本件発明１が奏する作用効果は、引用発明、技術常識１、２、周知技術、周知の技術課題と周知の解決手段に基づいて当業者が容易に予測しうるものと認める。
（３）特許権者の主張について
ア　特許権者は、平成３０年１０月２９日付け意見書（４．４）において、本件発明１と引用発明は、課題が大きく異なるため、引用発明から容易に想到することはできない旨主張する（平成３０年１０月２９日付け意見書）。
　以下、上記主張について検討する。偏光サングラスを掛けて液晶表示装置を視認すると、角度によっては視認性が低下する旨の課題は、上記のとおり周知の技術課題である。してみると、引用例１にその旨の課題の記載がないとしても、引用発明の液晶ディスプレイは、上記１（１）ア（ウ）に記載されるように携帯電話に搭載され、偏光サングラスを掛けた状態で視認することが想定される表示装置であるから、当業者は周知の技術課題を認識するものと認められる。よって、特許権者の上記主張は採用できない。
イ　特許権者は、引用例３〜５は、シミュレーションであるから、連続的な発光スペクトルを有する光源について記載も示唆もされていない旨主張する（平成３０年１０月２９日付け意見書）。
　しかしながら、引用例４には、シミュレーションのみが記載されているものではなく、シミュレーションをする対象の表示装置も記載されている。また、シミュレーションは、「物理的・生態的・社会的等のシステムの挙動を、これとほぼ同じ法則に支配される他のシステムまたはコンピューターによって、模擬すること。[株式会社岩波書店 広辞苑第六版]」であることを踏まえると、当業者は、引用例４に、連続的な発光スペクトルを有する光源を備える表示装置が実質的に開示されているものと認識するから、特許権者の主張は採用できない。引用例３、５には、シミュレーションについての記載は無く、仮に、特許権者が主張するシミュレーションであったとしても、引用例４と同様の理由により、特許権者の主張は採用できない。
ウ　特許権者は、令和１年６月３日付け意見書において、２枚の高リタデーション配向フィルムの配向主軸が形成する角が３０度である場合、リタデーションに差がなければ強い虹斑が観測され、１９００ｎｍ以上のリタデーションの差を設けることで虹斑の発生が抑制される（乙第３号証）から、当業者の予測を超えた顕著な作用効果を奏する旨主張する。
　しかしながら、仮に、２枚の高リタデーション配向フィルムの配向主軸が形成する角が３０度の場合に特許権者が主張する虹斑が発生するとしても、２枚の高リタデーション配向フィルムの配向主軸が形成する角が略平行（±２０度以下）の場合には虹斑の発生が抑制され、本件明細書の表１の試験Ｎｏ．１、Ｎｏ．１０によれば、概ね２０度以下で虹斑が目立たなかったことが理解できる。
　本件発明１は、「前記２枚の飛散防止フィルムの配向主軸が形成する角が３０度以下である、画像表示装置（但し、前記２枚の飛散防止フィルムの配向主軸が形成する角が１度以下である画像表示装置を除く）」と特定するものであるから、２枚の飛散防止フィルムの配向主軸が形成する角が１度〜２０度の範囲の画像表示装置は、当業者が容易に発明をすることができたものと認められる。前記角が３０度の場合に於ける特許権者の主張を考慮しても、本件発明１が進歩性を有するものとは言えない。
（４）小括
　以上のとおり、本件発明１は、引用発明、技術常識１、２、周知技術、周知の技術課題と周知の解決手段に基づいて当業者が容易に予測しうるものと認める。に基づいて当業者が容易に発明をすることができたものである。
５　対比・判断（本件発明２）
（１）本件発明２
ア　本件発明１が備える「前記基材フィルム及び前記飛散防止フィルムの少なくとも一方は、リタデーション（Ｒｅ）と厚さ方向のリタデーション（Ｒｔｈ）の比（Ｒｅ/Ｒｔｈ）が０．２以上２．０以下であり」との特定事項を備えず、
イ　本件発明１が「（但し、前記基材フィルムの配向主軸と前記飛散防止フィルムの配向主軸とが形成する角が
１度以下
３度以下
（２）そこで、本件発明２と引用発明を対比すると、両者は、 
 「（１）光源、　
（２）液晶表示セル、　
（３）前記液晶表示セルより視認側に配置される偏光子、　
（４）前記偏光子より視認側に配置される、透明導電層が積層された基材フィルム、及び　
（５）前記基材フィルムよりも視認側に配置される飛散防止フィルム、　
 を有する、　
 液晶表示装置。」　
 の点で一致し、以下の点で相違する。
相違点２−１：「光源」に関し、本件発明２は、「連続的な発光スペクトルを有する白色光源」であるのに対し、引用発明は、そのようなものなのか否か明らかでない点。 
相違点２−２：「基材フィルム」と「飛散防止フィルム」に関し、本件発明２は、 
ア　「前記基材フィルム及び前記飛散防止フィルムは、いずれも３０００ｎｍ以上１５００００ｎｍ以下のリタデーションを有する配向フィルムであり」、 
イ　「前記基材フィルム及び前記飛散防止フィルムは、互いに異なるリタデーションを有し、その差が１９００ｎｍ以上であり」、 
ウ　「前記基材フィルムの配向主軸と前記偏光子の偏光軸とが形成する角は、４５度±３０度以下であり」、 
エ　「前記飛散防止フィルムの配向主軸と前記偏光子の偏光軸が形成する角は、４５度±３０度以下であり」、 
オ　「前記基材フィルムの配向主軸と前記飛散防止フィルムの配向主軸とが形成する角は、３０度以下であ」り、 
カ　「但し、前記基材フィルムの配向主軸と前記飛散防止フィルムの配向主軸とが形成する角が３度以下である画像表示装置を除く」 
のに対し、引用発明は、そのようなものであるのか否か明らかでない点。
（３）以下、上記相違点について検討すると、相違点２−１、２−２ア〜エは、それぞれ相違点１−２、相違点１ア、ウ〜オと同じであるから、相違点１−２、相違点１ア、ウ〜オの判断と同様の理由により、引用発明において、相違点１−２、相違点２ア、ウ〜オに係る本件発明２の発明特定事項となすことは、当業者が容易になし得ることである。
　次に相違点２−２オ、カについて検討する。引用発明の「基部用透明板１０」と「飛散防止用の保護膜（たとえば、保護用透明フィルム）」は、全体として高いリタデーション（例えば、３０００ｎｍ以上）を有すればよいから、各フィルムのリタデーション値や配向軸の形成する角をどのように設定するかは、技術常識２を踏まえて、当業者が適宜設定する設計事項と認められ、例えば、全体のリタデーションが大きくなる相加の関係となるよう、配向主軸が形成する角を略平行（±２０度以下、但し３度以下を除く）となるように配置し、上記相違点２−２オ、カに係る本件発明２の発明特定事項となすことは、当業者が容易になし得る事項である。
（４）以上によれば、引用発明に周知の解決手段を採用し、上記相違点２−１、２−２ア〜カに係る本件発明２の発明特定事項となすことは、引用発明、技術常識１、２、周知技術、周知の技術課題と周知の解決手段に基づいて当業者が容易に予測しうるものと認める。
６　対比・判断（本件発明３）
（１）本件発明３は、
ア　本件発明１が「前記基材フィルム及び前記飛散防止フィルムは、互いに異なるリタデーションを有し、その差が１９００ｎｍ以上であり」と特定するのに替えて、「前記基材フィルム及び前記飛散防止フィルムは、互いに異なるリタデーションを有し、その差が３５００ｎｍ以上であり」と特定し、
イ　本件発明１が「前記基材フィルムの配向主軸と前記飛散防止フィルムの配向主軸とが形成する角は、３０度以下であ」り、「但し、前記基材フィルムの配向主軸と前記飛散防止フィルムの配向主軸とが形成する角が１度以下である画像表示装置を除く」と特定するのに替えて、「但し、前記基材フィルムの配向主軸と前記飛散防止フィルムの配向主軸とが形成する角が１度以下である画像表示装置、及び前記基材フィルムの配向主軸と前記飛散防止フィルムの配向主軸とが形成する角が９０度±１度以下である画像表示装置を除く」と特定する発明である。
（２）そこで、本件発明３と引用発明を対比すると、両者は、 
 「（１）光源、　
（２）液晶表示セル、　
（３）前記液晶表示セルより視認側に配置される偏光子、　
（４）前記偏光子より視認側に配置される、透明導電層が積層された基材フィルム、及び　
（５）前記基材フィルムよりも視認側に配置される飛散防止フィルム、　
 を有する、　
 液晶表示装置。」　
 の点で一致し、以下の点で相違する。
相違点３−１：「光源」に関し、本件発明３は、「連続的な発光スペクトルを有する白色光源」であるのに対し、引用発明は、そのようなものなのか否か明らかでない点。 
相違点３−２：「基材フィルム」と「飛散防止フィルム」に関し、本件発明３は、 
ア　「前記基材フィルム及び前記飛散防止フィルムは、いずれも３０００ｎｍ以上１５００００ｎｍ以下のリタデーションを有する配向フィルムであり」、 
イ　「前記基材フィルム及び前記飛散防止フィルムの少なくとも一方は、リタデーション（Ｒｅ）と厚さ方向のリタデーション（Ｒｔｈ）の比（Ｒｅ/Ｒｔｈ）が０．２以上２．０以下であり」
ウ　「前記基材フィルム及び前記飛散防止フィルムは、互いに異なるリタデーションを有し、その差が３５００ｎｍ以上であり」、 
エ　「前記基材フィルムの配向主軸と前記偏光子の偏光軸とが形成する角は、４５度±３０度以下であり」、　
オ　「前記飛散防止フィルムの配向主軸と前記偏光子の偏光軸が形成する角は、４５度±３０度以下であり」、 
カ　「但し、前記基材フィルムの配向主軸と前記飛散防止フィルムの配向主軸とが形成する角が１度以下である画像表示装置、及び前記基材フィルムの配向主軸と前記飛散防止フィルムの配向主軸とが形成する角が９０度±１度以下である画像表示装置を除く」 
のに対し、引用発明は、そのようなものであるのか否か明らかでない点。
（３）以下、上記相違点について検討する。
ア　相違点３−１、３−２ア、エ、オは、それぞれ相違点１−２、相違点１ア、エ、オと同じであるから、相違点３−１、３−２ア、エ、オの判断は、相違点１−２、相違点１ア、エ、オの判断と同様に、当業者が容易になし得ることである。
イ　相違点３−２イ、ウについて
　引用発明に周知の解決手段を採用する際、基部用透明板１０、飛散防止用の保護膜（たとえば、保護用透明フィルム）を高いリタデーション（例えば、３０００ｎｍ以上）を有するフィルムとすることに困難性はなく、また、種々のリタデーションを有するフィルムが周知（例えば引用例２の技術事項２には、リタデーションが３７２４ｎｍ、リタデーション（Ｒｅ）と厚さ方向のリタデーション（Ｒｔｈ）の比（Ｒｅ/Ｒｔｈ）が０．８４８のＰＥＴフィルム−１、リタデーションが２１５２０ｎｍ、リタデーション（Ｒｅ）と厚さ方向のリタデーション（Ｒｔｈ）の比（Ｒｅ/Ｒｔｈ）が０．８３２のＰＥＴフィルム−２が開示されている。また、上記（１）エに例示した特許第５０５１３２８号公報には、８０００ｎｍ以上のリタデーションを有するポリエステル基材をタッチパネルに使用することが例示され、上記（１）オ（エ）に例示した特開２０１２−２１４０２６号公報には、３０００ｎｍ以上の飛散を防止するフィルムが記載されている。）であるから、基材フィルムと飛散防止フィルムとして、リタデーションの差が３５００ｎｍ以上であり、リタデーション（Ｒｅ）と厚さ方向のリタデーション（Ｒｔｈ）の比（Ｒｅ/Ｒｔｈ）が０．２以上２．０以下のフィルムを採用し、その遅相軸と偏光板の吸収軸とのなす角が凡そ４５度となるように配置し、相違点３−２イ、ウに係る本件発明３の発明特定事項となすことは、当業者が容易に想到しうる事項である。
ウ　相違点３−２カについて
　引用発明の「基部用透明板１０」と「飛散防止用の保護膜（たとえば、保護用透明フィルム）」は、全体として高いリタデーション（例えば、３０００ｎｍ以上）を有すればよいから、各フィルムのリタデーション値や配向軸の形成する角をどのように設定するかは、技術常識２を踏まえて、当業者が適宜設定する設計事項と認められ、例えば、全体のリタデーションが大きくなる相加の関係となるよう、配向主軸が形成する角を略平行（±２０度以下、但し１度以下を除く）となるように配置し、上記相違点２−２カに係る本件発明２の発明特定事項となすことは、当業者が容易になし得る事項である。
７　対比・判断（本件発明４）
（１）本件発明４は、本件発明１に、
ア　「前記連続的な発光スペクトルを有する白色光源が、白色発光ダイオードである」との特定事項を追加し、
イ　「但し、前記基材フィルムの配向主軸と前記飛散防止フィルムの配向主軸とが形成する角が５度以下である画像表示装置を除く」と特定事項を追加する発明である。
　してみると、本件発明４と引用発明を対比すると、相違点１−１、１−２ア〜キに加え、上記ア、イが新たに相違点となる。
（２）以下、上記相違点について検討する。
ア　相違点アについて
　連続的な発光スペクトルを有する白色光源として、白色発光ダイオードは周知である（例えば、引用例２の技術事項１は「バックライト光源として連続的な発光スペクトルを有する白色発光ダイオードを用いる」液晶表示装置である。）。してみると、連続的な発光スペクトルを有する白色光源として、白色発光ダイオードを用いることは、当業者が適宜なし得る設計事項である。
イ　相違点イについて
　引用発明の「基部用透明板１０」と「飛散防止用の保護膜（たとえば、保護用透明フィルム）」は、全体として高いリタデーション（例えば、３０００ｎｍ以上）を有すればよいから、各フィルムのリタデーション値や配向軸の形成する角をどのように設定するかは、技術常識２を踏まえて、当業者が適宜設定する設計事項と認められ、例えば、全体のリタデーションが大きくなる相加の関係となるよう、配向主軸が形成する角を略平行（±２０度以下、但し５度以下を除く）となるように配置し、上記相違点イに係る本件発明４の発明特定事項となすことは、当業者が容易になし得る事項である。
８　対比・判断（本件発明５）
（１）本件発明５は、本件発明２に、
ア　「前記連続的な発光スペクトルを有する白色光源が、白色発光ダイオードである」との特定事項を追加し、
イ　「但し、前記基材フィルムの配向主軸と前記飛散防止フィルムの配向主軸とが形成する角が２０度以下である画像表示装置を除く」との特定事項を追加する発明である。
　そこで、本件発明５と引用発明を対比すると、相違点２−１、２−２ア〜カに加え、上記ア、イが新たに相違点となる。
（２）以下、上記相違点について検討する。
ア　相違点アについて
　連続的な発光スペクトルを有する白色光源として、白色発光ダイオードは周知である（例えば、引用例２の技術事項１は「バックライト光源として連続的な発光スペクトルを有する白色発光ダイオードを用いる」液晶表示装置である。）。してみると、連続的な発光スペクトルを有する白色光源として、白色発光ダイオードを用いることは、当業者が適宜なし得る設計事項である。
イ　相違点イについて
　引用発明の「基部用透明板１０」と「飛散防止用の保護膜（たとえば、保護用透明フィルム）」は、全体として高いリタデーションを有するのが好ましいところ、例えば、全体のリタデーションが大きくなる相加の関係となるように配向主軸が形成する角を略平行（±２０度以下）に配置することは当業者が容易になし得るとしても、敢えて略平行（±２０度以下）を除いて配置することは、当業者と雖も容易に想到し得るものではない。
　したがって、本件発明５は、引用発明、技術常識１、２、周知技術、周知の技術課題と周知の解決手段に基づいて当業者が容易に発明をすることができたものとはいえない。
９　対比・判断（本件発明６）
（１）本件発明６は、
ア　本件発明１の特定事項である「前記基材フィルム及び前記飛散防止フィルムの少なくとも一方は、リタデーション（Ｒｅ）と厚さ方向のリタデーション（Ｒｔｈ）の比（Ｒｅ/Ｒｔｈ）が０．２以上２．０以下であり」との特定事項を備えず、
イ　本件発明１が「前記基材フィルム及び前記飛散防止フィルムは、互いに異なるリタデーションを有し、その差が１９００ｎｍ以上であり」と特定するのに替えて、「前記基材フィルム及び前記飛散防止フィルムは、互いに異なるリタデーションを有し、その差が３５００ｎｍ以上であり」と特定し、
ウ　本件発明１が、「前記基材フィルムの配向主軸と前記飛散防止フィルムの配向主軸とが形成する角は、３０度以下であ」り、「但し、前記基材フィルムの配向主軸と前記飛散防止フィルムの配向主軸とが形成する角が１度以下である画像表示装置を除く」と特定するのに替えて、「但し、前記基材フィルムの配向主軸と前記飛散防止フィルムの配向主軸とが形成する角が３度以下である画像表示装置、及び前記基材フィルムの配向主軸と前記飛散防止フィルムの配向主軸とが形成する角が９０度±３度以下である画像表示装置を除く」と特定する発明である。
（２）そこで、本件発明６と引用発明を対比すると、両者は、 
 「（１）光源、　
（２）液晶表示セル、　
（３）前記液晶表示セルより視認側に配置される偏光子、　
（４）前記偏光子より視認側に配置される、透明導電層が積層された基材フィルム、及び　
（５）前記基材フィルムよりも視認側に配置される飛散防止フィルム、　
 を有する、　
 液晶表示装置。」　
 の点で一致し、以下の点で相違する。
相違点６−１：「光源」に関し、本件発明６は、「連続的な発光スペクトルを有する白色光源」であるのに対し、引用発明は、そのようなものなのか否か明らかでない点。 
相違点６−２：「基材フィルム」と「飛散防止フィルム」に関し、本件発明６は、 
ア　「前記基材フィルム及び前記飛散防止フィルムは、いずれも３０００ｎｍ以上１５００００ｎｍ以下のリタデーションを有する配向フィルムであり」、 
イ　「前記基材フィルム及び前記飛散防止フィルムは、互いに異なるリタデーションを有し、その差が３５００ｎｍ以上であり」、 
ウ　「前記基材フィルムの配向主軸と前記偏光子の偏光軸とが形成する角は、４５度±３０度以下であり」、 
エ　「前記飛散防止フィルムの配向主軸と前記偏光子の偏光軸が形成する角は、４５度±３０度以下であり」、 
オ　「但し、前記基材フィルムの配向主軸と前記飛散防止フィルムの配向主軸とが形成する角が３度以下である画像表示装置、及び前記基材フィルムの配向主軸と前記飛散防止フィルムの配向主軸とが形成する角が９０度±３度以下である画像表示装置を除く」 
のに対し、引用発明は、そのようなものであるのか否か明らかでない点。
（３）以下、上記相違点について検討する。
ア　相違点６−１、６−２ア、ウ、エは、それぞれ相違点１−１、相違点１−２ア、エ、オと同じであるから、相違点６−１、６−２ア、ウ、エの判断は、相違点１−１、相違点１−２ア、エ、オと同様の理由により、当業者が容易になし得ることである。
イ　相違点６−２イについて　
　引用発明に周知の解決手段を採用する際、基部用透明板１０、飛散防止用の保護膜（たとえば、保護用透明フィルム）を高いリタデーション（例えば、３０００ｎｍ以上）を有するフィルムとすることに困難性はなく、また、種々のリタデーションを有するフィルムが周知（例えば引用例２の技術事項２には、リタデーションが３７２４ｎｍ、リタデーション（Ｒｅ）と厚さ方向のリタデーション（Ｒｔｈ）の比（Ｒｅ/Ｒｔｈ）が０．８４８のＰＥＴフィルム−１、リタデーションが２１５２０ｎｍ、リタデーション（Ｒｅ）と厚さ方向のリタデーション（Ｒｔｈ）の比（Ｒｅ/Ｒｔｈ）が０．８３２のＰＥＴフィルム−２が開示されている。また、上記（１）エに例示した特許第５０５１３２８号公報には、８０００ｎｍ以上のリタデーションを有するポリエステル基材をタッチパネルに使用することが例示され、上記（１）オ（エ）に例示した特開２０１２−２１４０２６号公報には、３０００ｎｍ以上の飛散を防止するフィルムが記載されている。）であるから、基材フィルムと飛散防止フィルムとして、リタデーションの差が３５００ｎｍ以上のフィルムを採用し、相違点６−２イに係る本件発明６の発明特定事項となすことは、当業者が適宜為しうる事項である。
ウ　相違点６−２オについて
　引用発明の「基部用透明板１０」と「飛散防止用の保護膜（たとえば、保護用透明フィルム）」は、全体として高いリタデーション（例えば、３０００ｎｍ以上）を有すればよいから、各フィルムのリタデーション値や配向軸の形成する角をどのように設定するかは、技術常識２を踏まえて、当業者が適宜設定する設計事項と認められ、例えば、全体のリタデーションが大きくなる相加の関係となるよう、配向主軸が形成する角を略平行（±２０度以下、但し３度以下を除く）となるように配置し、上記相違点６−２オに係る本件発明６の発明特定事項となすことは、当業者が容易になし得る事項である。
１０　対比・判断（本件発明７）
（１）本件発明７は、本件発明３に、
ア　「前記連続的な発光スペクトルを有する白色光源が、白色発光ダイオードである」との特定事項を追加し、
イ　「但し、前記基材フィルムの配向主軸と前記飛散防止フィルムの配向主軸とが形成する角が５度以下である画像表示装置を除く」との特定事項を追加する発明である。
　そこで、本件発明７と引用発明を対比すると、上記ア、イが新たに相違点となる。
（２）以下、上記相違点について検討する。
ア　相違点アについて
　連続的な発光スペクトルを有する白色光源として、白色発光ダイオードは周知である（例えば、引用例２の技術事項１は「バックライト光源として連続的な発光スペクトルを有する白色発光ダイオードを用いる」液晶表示装置である。）。してみると、連続的な発光スペクトルを有する白色光源として、白色発光ダイオードを用いることは、当業者が適宜なし得る設計事項である。
イ　相違点イについて
　引用発明の「基部用透明板１０」と「飛散防止用の保護膜（たとえば、保護用透明フィルム）」は、全体として高いリタデーションを有するのが好ましいところ、例えば、全体のリタデーションが大きくなる相加の関係となるように配向主軸が形成する角を略平行（±２０度以下、但し５度以下を除く）となるように配置し、上記相違点イ、ウに係る本件発明７の発明特定事項となすことは、当業者が容易になし得る事項である。
１１　対比・判断（本件発明８）
（１）本件発明８は、本件発明６に、
ア　「前記連続的な発光スペクトルを有する白色光源が、白色発光ダイオードである」との特定事項を追加し、
イ　「前記基材フィルムの配向主軸と前記飛散防止フィルムの配向主軸とが形成する角は４５度以下である」との特定事項を追加し、
ウ　「但し、前記基材フィルムの配向主軸と前記飛散防止フィルムの配向主軸とが形成する角が２０度以下である画像表示装置を除く」との特定事項を追加する発明である。
　そこで、本件発明８と引用発明を対比すると、相違点６−１、６−２ア〜オに加え、上記ア、イが新たに相違点となる。
（２）以下、上記相違点について検討する。
ア　相違点アについて
　連続的な発光スペクトルを有する白色光源として、白色発光ダイオードは周知である（例えば、引用例２の技術事項１は「バックライト光源として連続的な発光スペクトルを有する白色発光ダイオードを用いる」液晶表示装置である。）。してみると、連続的な発光スペクトルを有する白色光源として、白色発光ダイオードを用いることは、当業者が適宜なし得る設計事項である。
イ　相違点イについて
　引用発明の「基部用透明板１０」と「飛散防止用の保護膜（たとえば、保護用透明フィルム）」は、全体として高いリタデーションを有するのが好ましいところ、例えば、全体のリタデーションが大きくなる相加の関係となるように配向主軸が形成する角を略平行（±２０度以下）に配置することは当業者が容易になし得るとしても、敢えて略平行（±２０度以下）を除いて配置することは、当業者と雖も容易に想到し得るものではない。
　したがって、本件発明８は、引用発明、技術常識１、２、周知技術、周知の技術課題と周知の解決手段に基づいて当業者が容易に発明をすることができたものとはいえない。
１２　小括
　以上によれば、本件発明１−４、６、７に係る発明は、引用発明、技術常識１、２、周知技術、周知の技術課題と周知の解決手段に基づいて当業者が容易に発明をすることができたものであり、本件発明５、８に係る発明は、引用発明、技術常識１、２、周知技術、周知の技術課題と周知の解決手段に基づいて当業者が容易に発明をすることができたものとは言えない。
第６　当審の判断（異議申立理由）
１　進歩性（その１）
（１）甲第１号証に記載された発明
　甲第１号証は、上記第５で検討した引用例２である。したがって、甲第１号証には、引用例２の技術事項２のＰＥＴフィルムを用いた引用例２の技術事項１の液晶表示装置が記載されており、以下の発明が開示されている。
「バックライト光源と、液晶セルと、液晶セルの視認側に配した偏光板とを少なくとも有する液晶表示装置において、 
　サングラスなどの偏光板を通して液晶表示装置の画面を観察した時、その観察角度によらず高度に良好な視認性を確保することを目的とし、 
　バックライト光源として連続的な発光スペクトルを有する白色発光ダイオードを用いるとともに、　 
　前記偏光板の視認側に、３０００〜３００００ｎｍのリタデーションを有する高分子フィルムを、前記偏光板の吸収軸と前記高分子フィルムの遅相軸とのなす角が凡そ４５度となるように配して用い、
　上記高分子フィルムは、例えば、厚み３８μｍ、３７２４ｎｍのリタデーションを有し、リタデーション（Ｒｅ）と厚さ方向のリタデーション（Ｒｔｈ）の比（Ｒｅ／Ｒｔｈ）が０．８４８であるＰＥＴフィルム−１、あるいは、ＰＥＴフィルム−１と同様の方法を用い、未延伸フィルムの厚みを変更して作成した、厚み２００μｍ、２１５２０ｎｍのリタデーションを有し、リタデーション（Ｒｅ）と厚さ方向のリタデーション（Ｒｔｈ）の比（Ｒｅ／Ｒｔｈ）が０．８３２であるＰＥＴフィルム−２であり、
　高分子フィルムのリタデーションに特有の干渉色を示す高分子フィルムの透過光は、そのスペクトルの包絡線形状が光源の発光スペクトルの形状を保存した相似形を有し、実効的に光源の発光スペクトルからなる、 
　液晶表示装置。」（以下「甲１発明」という。）が記載されている。
（２）対比
　本件発明１と甲１発明を対比する。
ア　本件発明１の「連続的な発光スペクトルを有する白色光源」と甲１発明の「連続的な発光スペクトルを有する白色発光ダイオードを用いる」「バックライト光源」を対比すると、両者は相当関係にある。
イ　本件発明１の「画像表示セル」と甲１発明の「液晶セル」を対比すると、両者は「液晶セル」の点で一致する。
ウ　本件発明１の「前記画像表示セルより視認側に配置される偏光子」と甲１発明の「液晶セルの視認側に配した偏光板」を対比する。
　一般に、偏光板が、偏光子と偏光子保護フィルムで構成されることは、周知である。してみると、両者は、「液晶セルの視認側に配置される偏光子」の点で一致する。
エ　本件発明１の「前記偏光子より視認側に配置される、透明導電層が積層された基材フィルム、及び」「前記基材フィルムよりも視認側に配置される飛散防止フィルム」と、甲１発明の「前記偏光板の視認側」に「配して用い」る「高分子フィルム」を対比する。
　本件発明１の「基材フィルム」と「飛散防止フィルム」は、発明の詳細な説明によれば、高分子フィルムであって良いものである。してみると、両者は「前記偏光子より視認側に配置される高分子フィルム」の点で一致する。
オ　本件発明１の「前記基材フィルム及び前記飛散防止フィルムは、いずれも３０００ｎｍ以上１５００００ｎｍ以下のリタデーションを有する配向フィルムであ」ることと、甲１発明の「３０００〜３００００ｎｍのリタデーションを有する高分子フィルム」を対比すると、両者は、前記高分子フィルムは「３０００ｎｍ以上３００００ｎｍ以下のリタデーションを有する配向フィルム」である点で一致する。
カ　本件発明１の「前記基材フィルム及び前記飛散防止フィルムの少なくとも一方は、リタデーション（Ｒｅ）と厚さ方向のリタデーション（Ｒｔｈ）の比（Ｒｅ/Ｒｔｈ）が０．２以上２．０以下であ」ることと、甲１発明の「上記高分子フィルムは、例えば、…リタデーション（Ｒｅ）と厚さ方向のリタデーション（Ｒｔｈ）の比（Ｒｅ／Ｒｔｈ）が０．８４８であるＰＥＴフィルム−１、あるいは、リタデーション（Ｒｅ）と厚さ方向のリタデーション（Ｒｔｈ）の比（Ｒｅ／Ｒｔｈ）が０．８３２であるＰＥＴフィルム−２であ」ることを対比する。
　両者は、前記フィルムは、リタデーション（Ｒｅ）と厚さ方向のリタデーション（Ｒｔｈ）の比（Ｒｅ/Ｒｔｈ）が０．８４８あるいは０．８３２であ」る点で一致する。
キ　本件発明１の「前記基材フィルムの配向主軸と前記偏光子の偏光軸とが形成する角は、４５度±３０度以下であり、前記飛散防止フィルムの配向主軸と前記偏光子の偏光軸が形成する角は、４５度±３０度以下であ」ることと、甲１発明の「前記偏光板の吸収軸と前記高分子フィルムの遅相軸とのなす角が凡そ４５度となるように配」することを対比する。
　両者は、「前記フィルムの配向主軸と偏光子の偏光軸とが形成する角は、凡そ４５度であ」る点で一致する。
ク　本件発明１の「画像表示装置」と甲１発明の「液晶表示装置」を対比すると、両者は、「液晶表示装置」の点で一致する。
ケ　以上によれば、本件発明１と甲１発明は、
「（１）連続的な発光スペクトルを有する白色光源、
（２）液晶セル、
（３）前記液晶セルより視認側に配置される偏光子、
（４）前記偏光子より視認側に配置される高分子フィルム、
を有し、
前記フィルムは、３０００ｎｍ以上３００００ｎｍ以下のリタデーションを有する配向フィルムであり、
前記フィルムは、リタデーション（Ｒｅ）と厚さ方向のリタデーション（Ｒｔｈ）の比（Ｒｅ/Ｒｔｈ）が０．８４８あるいは０．８３２であり、
前記フィルムの配向主軸と偏光子の偏光軸とが形成する角は、凡そ４５度である、
液晶表示装置。」
の点で一致し、以下の点で相違する。
相違点甲１−１：高分子フィルムに関し、本件発明１は、
ア　基材フィルムと、及び前記基材フィルムよりも視認側に配置される飛散防止フィルムの２枚のフィルムであり、
イ　前記基材フィルム及び前記飛散防止フィルムは、互いに異なるリタデーションを有し、その差が１９００ｎｍ以上であり
ウ　前記基材フィルムの配向主軸と前記偏光子の偏光軸とが形成する角は、４５度±３０度以下であり、　
エ　前記飛散防止フィルムの配向主軸と前記偏光子の偏光軸が形成する角は、４５度±３０度以下であり、　
オ　前記基材フィルムの配向主軸と前記飛散防止フィルムの配向主軸とが形成する角は、３０度以下であり、
カ　（但し、前記基材フィルムの配向主軸と前記飛散防止フィルムの配向主軸とが形成する角が１度以下である画像表示装置を除く）
のに対し、甲１発明の高分子フィルムは、そのようなものなのか否か明らかでない点。
（３）判断（本件発明１）
　以下、上記相違点について検討する。
　液晶表示装置の偏光板より視認側にタッチパネルを配置することは周知技術であり、タッチパネルを構成する基材フィルムとして、４０００ｎｍの位相差を有する基材フィルムが甲第２号証に記載され、リタデーションが８０００ｎｍ以上のポリエステル基材を含む光学積層体を用いたタッチパネルが甲第３号証に記載されている。そして、そのようなタッチパネルを引用発明の液晶表示装置の視認側に配置することに困難性はなく、その際、甲１発明の高分子フィルムをタッチパネルの基材フィルムとすることが当業者に容易であるとしても、さらに、
ア　３０００ｎｍ以上のリタデーションを有し、
イ　上記タッチパネルの基材フィルムのリタデーションとの差が１９００ｎｍ以上であり、
ウ　配向主軸と前記偏光子の偏光軸が形成する角は、４５度±３０度以下であり、
エ　配向主軸と基材フィルムの配向主軸とが形成する角が３０度以下である
飛散防止フィルムを配置することは、甲第２号証〜甲第６号証を参酌しても、当業者に容易であるとはいえない。
　なお、甲第１号証には高分子フィルムが飛散防止機能を有する旨の開示がないこと、高分子フィルムが破損の恐れがある部材に貼り付けられるものではないことから、甲１発明の高分子フィルムが飛散防止フィルムであるとは認められない。
　してみると、本件発明１は、甲１発明と甲第２号証〜甲第６号証に記載された事項に基づいて当業者が容易に発明をすることができたものとは言えない。
（４）判断（本件発明２−８）
　飛散防止フィルムに関し、本件発明１が備える
（ア）３０００ｎｍ以上のリタデーションを有し、
（イ）基材フィルムのリタデーションとの差が１９００ｎｍ以上（３５００ｎｍ以上）であり、
（ウ）配向主軸と前記偏光子の偏光軸が形成する角は、４５度±３０度以下である、
ことは、本件発明２−８の何れにも特定されている。
　してみると、本件発明２−８は、本件発明１と同様の理由により、甲１発明と甲第２号証〜甲第６号証に記載された事項に基づいて当業者が容易に発明をすることができたものとは言えない。
２　進歩性（その２）
（１）甲３発明
　甲第３号証には以下の記載がある。
ア　「【請求項１】
ポリエステル基材上にプライマー層が形成され、前記プライマー層上にハードコート層が形成された光学積層体であって、
前記ポリエステル基材は、８０００ｎｍ以上のリタデーションを有し、かつ、屈折率が大きい方向である遅相軸方向の屈折率（ｎｘ）と、前記遅相軸方向と直交する方向である進相軸方向の屈折率（ｎｙ）との差（ｎｘ−ｎｙ）が、０．０７〜０．２０であり、
前記プライマー層の屈折率（ｎｐ）と、前記ポリエステル基材の遅相軸方向の屈折率（ｎｘ）及び進相軸方向の屈折率（ｎｙ）が、ｎｙ＜ｎｐ＜ｎｘなる関係を有し、
前記ハードコート層の屈折率（ｎｈ）と、前記ポリエステル基材の遅相軸方向の屈折率（ｎｘ）及び進相軸方向の屈折率（ｎｙ）が、ｎｙ＜ｎｈ＜ｎｘなる関係を有する
ことを特徴とする光学積層体。
…
【請求項７】
偏光素子を備えてなる偏光板であって、
前記偏光素子の表面に請求項１、２、３、４、５又は６記載の光学積層体を備えることを特徴とする偏光板。」
イ　「【背景技術】
【０００２】
液晶ディスプレイ（ＬＣＤ）、プラズマディスプレイ（ＰＤＰ）、エレクトロルミネッセンスディスプレイ（ＯＥＬＤ又はＩＥＬＤ）、フィールドエミッションディスプレイ（ＦＥＤ）、タッチパネル、電子ペーパー等の画像表示装置は、画像表示パネルの表示画面側に偏光子が配置され、更に、最表面に反射防止性、ハードコート性等の機能を有する光学積層体が設けられている。
…
【発明が解決しようとする課題】
【０００６】
ところが、本発明者らの研究によると、セルロースエステルフィルム代替フィルムとしてポリエチレンテレフタレート（ＰＥＴ）等のポリエステルフィルムを用いた光学積層体を、偏光素子上に配置した場合、液晶表示装置に色の異なるムラ（以下、「ニジムラ」ともいう）が、特に表示画面を斜めから観察したときに生じ、液晶表示装置の表示品質が損なわれてしまうという問題点があることが判明した。」
ウ　「【０００８】
本発明は、上記現状に鑑みて、ポリエステル基材とハードコート層との密着性に優れ、液晶表示装置の表示画像にニジムラ及び干渉縞が生じることを高度に抑制することができる光学積層体、該光学積層体を用いた偏光板及び画像表示装置を提供することを目的とする。」
エ　「【００１５】
図１は、本発明の光学積層体の一例を模式的に示す断面図である。
図１に示すように、本発明の光学積層体１０は、ポリエステル基材１１上にプライマー層１２が形成され、プライマー層１２上にハードコート層１３が形成されている。
このような構成の本発明の光学積層体において、上記ポリエステル基材は、８０００ｎｍ以上のリタデーションを有する。リタデーションが８０００ｎｍ未満であると、本発明の光学積層体を用いた液晶表示装置の表示画像にニジムラが生じてしまう。一方、上記ポリエステル基材のリタデーションの上限としては特に限定されないが、３万ｎｍ程度であることが好ましい。３万ｎｍを超えると、これ以上の表示画像のニジムラ改善効果の向上が見られず、また、膜厚が相当に厚くなるため好ましくない。
上記ポリエステル基材のリタデーションは、ニジムラ防止性及び薄膜化の観点から、１万〜２万ｎｍであることが好ましい。」
オ　「【００８６】
このような本発明の光学積層体を用いた本発明の偏光板において、
上記光学積層体は、上記ポリエステル基材の遅相軸と後述する偏光素子
の吸収軸とのなす角度が、０°±３０°又は９０°±３０°となるように配設されることが好ましい
すなわち、外光や蛍光灯の光のない環境下（以下、このような環境下を「暗所」ともいう）では、本発明の光学積層体のポリエステル基材の遅相軸と偏光板の吸収軸とのなす角度は、どのような角度であってもニジムラの発生を抑制できる。しかしながら、外光や蛍光灯の光のある環境下（以下、このような環境下を「明所」ともいう）においては、外光や蛍光灯の光は、連続的な幅広いスペクトルを有するものばかりではないため、ポリエステル基材の遅相軸と偏光素子の吸収軸とのなす角度を上述の範囲にしないと、ニジムラが生じてしまい表示品位が低下してしまう。
更に、液晶表示装置におけるカラーフィルターを透過したバックライトの光も連続的な幅広いスペクトルを有するものばかりではくなるため、ポリエステル基材の遅相軸と偏光素子の吸収軸とのなす角度を上述の範囲にしないと、ニジムラが生じてしまい表示品位が低下してしまうと推測している。
【００８７】
本発明はまた、上記光学積層体又は上記偏光板を備えてなる画像表示装置でもある。上記画像表示装置は、ＬＣＤ、ＰＤＰ、ＦＥＤ、ＥＬＤ（有機ＥＬ、無機ＥＬ）、ＣＲＴ、タッチパネル、電子ペーパー、タブレットＰＣ等が挙げられる。
【００８８】
上記ＬＣＤは、透過性表示体と、上記透過性表示体を背面から照射する光源装置とを備えてなるものである。本発明の画像表示装置がＬＣＤである場合、この透過性表示体の表面に、本発明の光学積層体又は本発明の偏光板が形成されてなるものである。
【００８９】
本発明が上記光学積層体を有する液晶表示装置の場合、光源装置の光源は光学積層体の下側（基材側）から照射される。なお、ＳＴＮ型の液晶表示装置には、液晶表示素子と偏光板との間に、位相差板が挿入されてよい。この液晶表示装置の各層間には必要に応じて接着剤層が設けられてよい。
…
【００９２】
本発明の光学積層体は、いずれの場合も、テレビジョン、コンピュータなどのディスプレイ表示に使用することができる。特に、液晶パネル、ＰＤＰ、ＥＬＤ、タッチパネル、電子ペーパー等の高精細画像用ディスプレイの表面に好適に使用することができる。
【００９３】
なかでも、本発明の光学積層体は、タッチパネルに好適に用いることができる。このような本発明の光学積層体を用いたタッチパネルもまた、本発明の一つである。
すなわち、本発明のタッチパネルは、本発明の光学積層体を用いたタッチパネルであって、上記光学積層体のハードコート層のプライマー層側と反対側の表面上に不可視電極が設けられていることを特徴とする。
ここで、一般的に、タッチパネルには、位置検出の方法により、光学方式、超音波方式、静電容量方式、抵抗膜方式などが知られている。
上記抵抗膜方式のタッチパネルは、透明導電性フィルムと透明導電体層付ガラスとがスペーサーを介して対向配置されており、透明導電性フィルムに電流を流し透明導電体層付ガラスにおける電圧を計測するような構造となっている。一方、静電容量方式のタッチパネルは、基材上に透明導電層を有するものを基本的構成とし、可動部分がないことが特徴であり、高耐久性、高透過率を有するため、液晶表示ディスプレイ、携帯電話及び車載用ディスプレイ等において適用されている。
…
【００９４】
なお、上記不可視電極とは、透明導電体層の電極パターンが表示画面側から視認できないようにするための光学機能層が積層された状態の電極であり、その構成としては、高屈折率層、低屈折率層及び透明導電体層がこの順に積層された構成が挙げられる。…
【００９５】
また、本発明の光学積層体が、ポリエステル基材の両面にプライマー層及びハードコート層が形成された構成の場合、本発明のタッチパネルは、上記不可視電極は、該光学積層体の少なくとも一方のハードコート層の、プライマー層側と反対側の表面上に不可視電極が設けられている。このような構成のタッチパネルもまた、本発明の一つである。
図３は、本発明のタッチパネルの一例を模式的に示す断面図である。
図３に示した本発明のタッチパネル３０において、本発明の光学積層体は、ポリエステル基材３１の両面にプライマー層３２が形成され、このプライマー層３２のそれぞれポリエステル基材３１側と反対側面上にハードコート層３３が形成されている。そしてこのような本発明の光学積層体は、粘着層３００介して２層積層されている（以下、表示画面側の光学積層体を上層の光学積層体、他方の光学積層体を下層の光学積層体ともいう）。更に、上層の光学積層体及び下層の光学積層体は、それぞれ、表示画面側のハードコート層３３の面上に不可視電極３４が積層されている。この不可視電極３４は、ハードコート層３３側から高屈折率層３５、低屈折率層３６及び透明導電体層３７がこの順に積層されている。
このような本発明のタッチパネル３０は、粘着層３００を介して、下層の光学積層体の不可視電極３４と、上層の光学積層体の表示画面側と反対側のハードコート層３３とが積層されている。
また、上層の光学積層体のハードコート層３３のプライマー層３２側と反対側に積層された不可視電極３４は、粘着層３８を介してカバーガラス３９が設けられ、このカバーガラス３９が最表面を構成している。」
カ　「【０１１６】
（実施例１）
溶融ポリエチレンテレフタレートを、２９０℃で溶融して、フィルム形成ダイを通して、シート状に押出し、水冷冷却した回転急冷ドラム上に密着させて冷却し、未延伸フィルムを作製した。
この未延伸フィルムを二軸延伸試験装置（東洋精機社製）にて、１２０℃にて１分間予熱した後、１２０℃にて、延伸倍率４．５倍に延伸した後、その両面にプライマー層用組成物１をロールコーターにて均一に塗布した。
次いで、この塗布フィルムを引続き９５℃で乾燥し、その延伸方向とは９０度の方向に延伸倍率１．５倍にて延伸を行い、リタデーション＝１００００ｎｍ、膜厚＝１００μｍ、ｎｘ＝１．７０、ｎｙ＝１．６０、Δｎ＝０．１０のポリエステル基材を得た。なお、プライマー層の屈折率は１．６５、膜厚は１００ｎｍであった。
【０１１７】
その後、形成したプライマー層上に、ハードコート層用組成物１をバーコーターにて塗布し、７０℃で１分間乾燥して、溶剤を除去して塗膜を形成した。
次いで、その塗膜に紫外線照射装置〔フュージョンＵＶシステムジャパン社製：Ｈバルブ（商品名）〕を用いて、照射量１５０ｍＪ／ｃｍ２で紫外線照射を行い、乾燥硬化後の膜厚６．０μｍのハードコート層を形成し、光学積層体を製造した。
なお、ハードコート層の屈折率は１．６５であった。
【０１１８】
（実施例２）
ハードコート層用組成物１に代えてハードコート層用組成物３を用いた以外は実施例１と同様にして、光学積層体を製造した。なお、ハードコート層の屈折率は１．６１であった。
【０１１９】
（実施例３）
溶融ポリエチレンテレフタレートを、２９０℃で溶融して、フィルム形成ダイを通して、シート状に押出し、水冷冷却した回転急冷ドラム上に密着させて冷却し、未延伸フィルムを作製した。
この未延伸フィルムを二軸延伸試験装置（東洋精機社製）にて、１２０℃にて１分間予熱した後、１２０℃にて、延伸倍率５．２倍に延伸した後、その両面にプライマー層用組成物２をロールコーターにて均一に塗布した。
次いで、この塗布フィルムを引続き９５℃で乾燥し、その延伸方向とは９０度の方向に延伸倍率１．２倍にて延伸を行い、リタデーション＝９０００ｎｍ、膜厚＝６０μｍ、ｎｘ＝１．７３、ｎｙ＝１．５８、Δｎ＝０．１５のポリエステル基材を得た。なお、プライマー層の屈折率は１．５７、膜厚は２０ｎｍであった。
その後、形成したプライマー層上に、ハードコート層用組成物１をバーコーターにて塗布し、７０℃で１分間乾燥して、溶剤を除去して塗膜を形成した。
次いで、その塗膜に紫外線照射装置〔フュージョンＵＶシステムジャパン社製：Ｈバルブ（商品名）〕を用いて、照射量１５０ｍＪ／ｃｍ２で紫外線照射を行い、乾燥硬化後の膜厚６．０μｍのハードコート層を形成し、光学積層体を製造した。
なお、ハードコート層の屈折率は１．６５であった。
【０１２０】
（実施例４）
溶融ポリエチレンテレフタレートを、２９０℃で溶融して、フィルム形成ダイを通して、シート状に押出し、水冷冷却した回転急冷ドラム上に密着させて冷却し、未延伸フィルムを作製した。
この未延伸フィルムを二軸延伸試験装置（東洋精機社製）にて、１２０℃にて１分間予熱した後、１２０℃にて、延伸倍率３．５倍に延伸した後、その両面にプライマー層用組成物１をロールコーターにて均一に塗布した。
次いで、この塗布フィルムを引続き９５℃で乾燥し、その延伸方向とは９０度の方向に延伸倍率１．５倍にて延伸を行い、リタデーション＝８７５０ｎｍ、膜厚＝１２５μｍ、ｎｘ＝１．６８５、ｎｙ＝１．６１５、Δｎ＝０．０７のポリエステル基材を得た。なお、プライマー層の屈折率は１．６５、膜厚は３００ｎｍであった。
その後、形成したプライマー層上に、ハードコート層用組成物１をバーコーターにて塗布し、７０℃で１分間乾燥して、溶剤を除去して塗膜を形成した。
次いで、その塗膜に紫外線照射装置〔フュージョンＵＶシステムジャパン社製：Ｈバルブ（商品名）〕を用いて、照射量１５０ｍＪ／ｃｍ２で紫外線照射を行い、乾燥硬化後の膜厚６．０μｍのハードコート層を形成し、光学積層体を製造した。
なお、ハードコート層の屈折率は１．６５であった。
【０１２１】
（実施例５）
溶融ポリエチレンテレフタレートを、２９０℃で溶融して、フィルム形成ダイを通して、シート状に押出し、水冷冷却した回転急冷ドラム上に密着させて冷却し、未延伸フィルムを作製した。
この未延伸フィルムを二軸延伸試験装置（東洋精機社製）にて、１２０℃にて１分間予熱した後、１２０℃にて、延伸倍率５．２倍に延伸した後、その両面にプライマー層用組成物１をロールコーターにて均一に塗布した。
次いで、この塗布フィルムを引続き９５℃で乾燥し、その延伸方向とは９０度の方向に延伸倍率１．２倍にて延伸を行い、リタデーション＝９０００ｎｍ、膜厚＝６０μｍ、ｎｘ＝１．７３、ｎｙ＝１．５８、Δｎ＝０．１５のポリエステル基材を得た。なお、プライマー層の屈折率は１．６５、膜厚は３００ｎｍであった。
その後、形成したプライマー層上に、ハードコート層用組成物１をバーコーターにて塗布し、７０℃で１分間乾燥して、溶剤を除去して塗膜を形成した。
次いで、その塗膜に紫外線照射装置〔フュージョンＵＶシステムジャパン社製：Ｈバルブ（商品名）〕を用いて、照射量１５０ｍＪ／ｃｍ２で紫外線照射を行い、乾燥硬化後の膜厚６．０μｍのハードコート層を形成し、光学積層体を製造した。
なお、ハードコート層の屈折率は１．６５であった。
【０１２２】
（実施例６）
プライマー層用組成物１に代えて、プライマー層用組成物２を用いた以外は、実施例１と同様にして光学積層体を製造した。
なお、ポリエステル基材のリタデーション＝１００００ｎｍ、膜厚＝１００μｍ、ｎｘ＝１．７０、ｎｙ＝１．６０、Δｎ＝０．１０であり、プライマー層の屈折率は１．５７、膜厚は２０ｎｍであった。また、ハードコート層の屈折率は１．６５であった。
【０１２３】
（実施例７）
ハードコート層用組成物１に代えてハードコート層用組成物３を用い、プライマー層の膜厚を１０ｎｍとした以外は実施例６と同様にして、光学積層体を製造した。なお、ハードコート層の屈折率は１．６１であった。
【０１２４】
（実施例８）
実施例６と同条件にて、ポリエステル基材、プライマー層及びハードコート層を形成し、次いで、そのハードコート層上に、バーコーターを用いて低屈折率層用組成物を塗布し、塗膜を形成した。その塗膜にハードコート層と同様に乾燥、紫外線照射を行い、乾燥硬化後の膜厚１００ｎｍの低屈折率層を形成し、低屈折率層を有する光学積層体を製造した。
【０１２５】
（実施例９）
溶融ポリエチレンテレフタレートを、２９０℃で溶融して、フィルム形成ダイを通して、シート状に押出し、水冷冷却した回転急冷ドラム上に密着させて冷却し、未延伸フィルムを作製した。
この未延伸フィルムを二軸延伸試験装置（東洋精機社製）にて、１２０℃にて１分間予熱した後、１２０℃にて、延伸倍率３．５倍に延伸した後、その両面にプライマー層用組成物２をロールコーターにて均一に塗布した。
次いで、この塗布フィルムを引続き９５℃で乾燥し、その延伸方向とは９０度の方向に延伸倍率１．５倍にて延伸を行い、リタデーション＝８７５０ｎｍ、膜厚＝１２５μｍ、ｎｘ＝１．６８５、ｎｙ＝１．６１５、Δｎ＝０．０７のポリエステル基材を得た。なお、プライマー層の屈折率は１．５７、膜厚は２０ｎｍであった。
その後、形成したプライマー層上に、ハードコート層用組成物１をバーコーターにて塗布し、７０℃で１分間乾燥して、溶剤を除去して塗膜を形成した。
次いで、その塗膜に紫外線照射装置〔フュージョンＵＶシステムジャパン社製：Ｈバルブ（商品名）〕を用いて、照射量１５０ｍＪ／ｃｍ２で紫外線照射を行い、乾燥硬化後の膜厚６．０μｍのハードコート層を形成し、光学積層体を製造した。
なお、ハードコート層の屈折率は１．６５であった。
【０１２６】
（実施例１０）
プライマー層用組成物１に代えて、プライマー層用組成物２を用いた以外は、実施例１と同様にして光学積層体を製造した。
なお、ポリエステル基材のリタデーション＝１００００ｎｍ、膜厚＝１００μｍ、ｎｘ＝１．７０、ｎｙ＝１．６０、Δｎ＝０．１０であり、プライマー層の屈折率は１．５７、膜厚は３ｎｍであった。また、ハードコート層の屈折率は１．６５であった。
【０１２７】
（実施例１１）
プライマー層用組成物１に代えて、プライマー層用組成物２を用いた以外は、実施例１と同様にして光学積層体を製造した。
なお、ポリエステル基材のリタデーション＝１００００ｎｍ、膜厚＝１００μｍ、ｎｘ＝１．７０、ｎｙ＝１．６０、Δｎ＝０．１０であり、プライマー層の屈折率は１．５７、膜厚は３０ｎｍであった。また、ハードコート層の屈折率は１．６５であった。」
キ　「【０１３６】
（ニジムラ評価）
実施例、比較例にて作製した光学積層体を、液晶モニター（ＦＬＡＴＯＲＯＮ　ＩＰＳ２２６Ｖ（ＬＧ　Ｅｌｅｃｔｒｏｎｉｃｓ　Ｊａｐａｎ社製））の観察者側の偏光素子上に配置し、液晶表示装置を作製した。なお、ポリエステル基材の遅相軸と液晶モニターの観察者側の偏光素子の吸収軸とのなす角度が０°となるように配置した。
そして、暗所及び明所（液晶モニター周辺照度４００ルクス）にて、正面及び斜め方向（約５０度）から目視及び偏光サングラス越しに表示画像の観察を行い、ニジムラの有無を以下の基準に従い評価した。偏光サングラス越しの観察は、目視よりも非常に厳しい評価法である。観察は１０人で行い、最多数の評価を観察結果としている。
◎：偏光サングラス越しでニジムラが観察されない。
○：偏光サングラス越しでニジムラが観察されるが、薄く、目視ではニジムラが観察されない、実使用上問題ないレベル。
△：偏光サングラス越しでニジムラが観察され、目視ではニジムラがごく薄く観察される。
×：偏光サングラス越しでニジムラが強く観察され、目視でもニジムラが観察される。」
ク　表１は以下のとおりである。
ケ　図３は以下のとおりである。
　してみると、甲第３号証には、以下の発明が開示されている。
「光源、液晶表示セル、液晶表示セルより視認側に配置される偏光子、及び前記偏光子より視認側に配置されるタッチパネルを有し、
　前記タッチパネルは２枚のポリエステル基材を有し、
　前記２枚のポリエステル基材は、いずれも８０００ｎｍ以上のリタデーションを有する配向フィルムである、タッチパネル付きの液晶表示装置。」（以下「甲３発明」という。）
（２）本件発明１と甲３発明の対比
　本件発明１と甲３発明は、
「（１）光源、
（２）液晶表示セル、
（３）前記液晶表示セルより視認側に配置される偏光子、及び
（４）前記偏光子より視認側に配置される、透明導電層が積層された基材フィルム、及び
（５）前記基材フィルムよりも視認側に配置されるフィルム、
を有し、
前記基材フィルム及び前記フィルムは、３０００ｎｍ以上１５００００ｎｍ以下のリタデーションを有する配向フィルムである、
画像表示装置。」
の点で一致し、以下の点で相違する。
相違点甲３−１：光源に関し、本件発明１は「連続的な発光スペクトルを有する白色光源」であるのに対し、甲３発明はそのようなものなのか否か明らかでない点。
相違点甲３−２：フィルムに関し、本件発明１は飛散防止フィルムであるのに対し、甲３発明は、タッチパネルを構成する視認側のポリエステル基材である点。
相違点甲３−３：本件発明１は、
ア　前記基材フィルム及び前記飛散防止フィルムの少なくとも一方は、リタデーション（Ｒｅ）と厚さ方向のリタデーション（Ｒｔｈ）の比（Ｒｅ/Ｒｔｈ）が０．２以上２．０以下であり、
イ　前記基材フィルム及び前記飛散防止フィルムは、互いに異なるリタデーションを有し、その差が１９００ｎｍ以上であり、
ウ　前記基材フィルムの配向主軸と前記偏光子の偏光軸とが形成する角は、４５度±３０度以下であり、　
エ　前記飛散防止フィルムの配向主軸と前記偏光子の偏光軸が形成する角は、４５度±３０度以下であり、　
オ　前記基材フィルムの配向主軸と前記飛散防止フィルムの配向主軸とが形成する角は、３０度以下であり、　
カ　前記基材フィルムの配向主軸と前記飛散防止フィルムの配向主軸とが形成する角が１度以下である画像表示装置を除く
のに対し、甲３発明は、そのようなものなのか否か明らかでない点。
（３）判断（本件発明１）
　一般に、飛散防止フィルムは、基材フィルム、ハードコート層、粘着層で構成され、破損する恐れがある部材に粘着層で貼り付けるものである。甲第３号証の図３を見れば、最表面に位置するカバーガラス３９は破損の恐れがある部材であるところ、視認側のポリエステル基材３１は、カバーガラスに貼り付けるものではない。してみると、甲３発明のポリエステル基材３１は、飛散防止機能を有しているものとは言えない。
　また、甲３発明では、２枚のポリエステル基材の配向主軸と偏光子の偏光軸が形成する角は特定することなく課題を解決しているから、甲３発明において、前記角を４５度±３０度以下にする動機がなく、前記角を４５度±３０度以下にすることは当業者が容易に為し得ることとは言えない。、
　よって、本件発明１は、甲３発明と甲第１号証、甲第２号証、甲第４号証〜甲第６号証に記載された事項に基づいて当業者が容易に発明をすることができたものとは言えない。
（４）対比・判断（本件発明２−８）
　本件発明２−８は、何れも、本件発明１と同様に、３０００ｎｍ以上１５００００ｎｍ以下のリタデーションを有する配向フィルムである飛散防止フィルムを備えている。また、「前記基材フィルムの配向主軸と前記偏光子の偏光軸とが形成する角は、４５度±３０度以下であ」ること、「前記飛散防止フィルムの配向主軸と前記偏光子の偏光軸が形成する角は、４５度±３０度以下であ」ることとの特定事項を備えている。
　してみると、本件発明２−８は、本件発明１と同様に、甲３発明と甲第１号証、甲第２号証、甲第４号証〜甲第６号証に記載された事項に基づいて当業者が容易に発明をすることができたものとは言えない。
３　拡大先願（その１）
（１）甲７発明
　甲第７号証には以下の記載がある。
ア　「【００２３】
　＜タッチパネル用センサーフィルム＞
　図１に示すように、タッチパネル用センサーフィルム３は、タッチパネル装置１において透明表面基板２に対向する表面側から、
透明基材３０１と透明基材３０２を積層してなる多層透明基材３０
イ　「【００２６】
　多層透明基材３０を構成する
透明基材３０１、３０２は、３０００ｎｍ以上のリタデーションを有する
ウ　「【００３３】
　透明基材３０１、３０２を得る方法としては、上述したリタデーションを充足する方法であれば特に限定されないが、例えば、上記ＰＥＴ等のポリエステルからなる場合、材料のポリエステルを溶融し、シート状に押出し成形された未延伸ポリエステルをガラス転移温度以上の温度においてテンター等を用いて横延伸後、熱処理を施す方法が挙げられる。上記横延伸温度としては、８０〜１３０℃が好ましく、より好ましくは９０〜１２０℃である。又、横延伸倍率は２．５〜６．０倍が好ましく、より好ましくは３．０〜５．５倍である。上記横延伸倍率が６．０倍を超えると、得られるポリエステルからなる透明基材の透明性が低下しやすくなり、延伸倍率が２．５倍未満であると、延伸張力も小さくなるため、得られる透明基材の複屈折が小さくなり、リタデーションを３０００ｎｍ以上とできないことがある。
【００３４】
　又、本発明においては、二軸延伸試験装置を用いて、上記未延伸ポリエステルの横延伸を上記条件で行った後、該横延伸に対する流れ方向の延伸（以下、縦延伸とも言う）を行ってもよい。この場合、上記縦延伸は、延伸倍率が２倍以下であることが好ましい。上記縦延伸の延伸倍率が２倍を超えると、Δｎの値を上述した好ましい範囲にできないことがある。又、上記熱処理時の処理温度はしては、１００〜２５０℃が好ましく、より好ましくは１８０〜２４５℃である。」
エ　「【００４０】
　尚、
透明基材３０１、３０２は、遅相軸方向の配向角差が６°以内である
【００４１】
　導電パターン層３１１、３１２は、多層透明基材３０上、或いは、
透明基材３０１、３０２上に形成された透明導電材料層
オ　「【００５１】
　＜タッチパネル装置＞
　
上記説明したタッチパネル用センサーフィルム３
【００５２】
　タッチパネル装置１において、
偏光板４
…
【００５５】
　
液晶パネル６
【００５６】
　
バックライト８の一次光源
白色発光ダイオード
連続的で幅広い発光スペクトルを有している
カ　図１は以下のとおりである。
　してみると、甲第７号証には、以下の発明が開示されている。
「バックライト８としての連続的で幅広い発光スペクトルを有している白色発光ダイオード、液晶パネル６、液晶パネルより視認側に配置される偏光板４、及び、偏光板４より視認側に配置されるタッチパネルセンサーフィルム３を有し、
　前記タッチパネルセンサーフィルム３は多層透明基材３０を有し、
　前記多層透明基材３０は、リタデーション３０００ｎｍ以上の透明基材３０１及び３０２を有し、
　前記透明基材３０１及び透明基材３０２には透明導電材料層が形成され、
　前記透明基材３０１及び３０２は、遅相軸方向の配向角差が６°以内である、
　タッチパネルセンサー付きの液晶表示装置。」（以下「甲７発明」という。）
（２）対比（本件発明１と甲７発明）
　本件発明１と甲７発明を対比すると、
「（１）連続的な発光スペクトルを有する白色光源、
（２）液晶セル、
（３）前記液晶セルより視認側に配置される偏光子、及び
（４）前記偏光子より視認側に配置される２枚のフィルム、
を有し、
前記２枚のフィルムは、いずれも３０００ｎｍ以上のリタデーションを有する配向フィルムであり、
前記２枚のフィルムの配向主軸が形成する角が６度以下である、
画像表示装置（但し、前記２枚の飛散防止フィルムの配向主軸が形成する角が１度以下である画像表示装置を除く）。」
の点で一致し、以下の点で相違する。
相違点甲７−１：２枚のフィルムに関し、本件発明１は、「透明導電層が積層された基材フィルム」と「前記基材フィルムよりも視認側に配置される飛散防止フィルム」であるのに対し、甲７発明は、タッチパネルセンサーフィルムを構成する「透明基材」である点
相違点甲７−２：２枚のフィルムに関し、本件発明１は、
ア　「リタデーション（Ｒｅ）と厚さ方向のリタデーション（Ｒｔｈ）の比（Ｒｅ/Ｒｔｈ）が０．２以上２．０以下であり」、
イ　「互いに異なるリタデーションを有し、その差が１９００ｎｍ以上であり」、
ウ　「それぞれの配向主軸と前記偏光子の偏光軸とが形成する角が、４５度±３０度以下であ」り、
エ　「それぞれの配向主軸が形成する角が３０度以下」であり、
オ　「但し、前記基材フィルムの配向主軸と前記飛散防止フィルムの配向主軸とが形成する角が１度以下である画像表示装置を除く」
のに対し、甲７発明は、そのようなものなのか否か不明である点。
（３）判断（本件発明１）
　甲第７号証の【００６９】の記載によれば、飛散防止フィルムの機能としては画面等が破損した場合においてフィルムの密着と自身の延性による下部ガラス等の飛散による使用者、周囲の人のケガ、また、耐水、耐気封止性の喪失、画面の破損、破片の脱落による画面視認性、操作性の悪化を抑え、例えば、修理窓口に出すまでの間、当面の使用を可能にする事ができるものであること、そして、タッチパネル用センサーフィルムの表面に飛散防止フィルムを配置したタッチパネル装置が開示されている。そして、甲７発明のタッチパネルセンサーフィルム３の多層透明基材３０が有する透明基材３０１、３０２は、その下部にガラス等の飛散の恐れがある部材を有するものではないから、透明基材３０１、３０２は、飛散防止フィルムとは言えない。してみると、上記点は実質的な相違点である。
　また、リタデーション（Ｒｅ）と厚さ方向のリタデーション（Ｒｔｈ）の比（Ｒｅ/Ｒｔｈ）を特定している点、「互いに異なるリタデーションを有し、その差が１９００ｎｍ以上であ」る点、「それぞれの配向主軸と前記偏光子の偏光軸とが形成する角が、４５度±３０度以下であ」る点、「それぞれの配向主軸が形成する角が３０度以下」であり「但し、前記基材フィルムの配向主軸と前記飛散防止フィルムの配向主軸とが形成する角が１度以下である画像表示装置を除く」点は、何れも実質的な相違点である。
　してみると、本件発明１は、甲７発明と実質的に同一であるとはいえない。
（４）本件発明２−８について
　本件発明２−８は、何れも本件発明１と同様に「飛散防止フィルム」を備え、また、互いに異なるリタデーションを有する点、それぞれの配向主軸と前記偏光子の偏光軸とが形成する角が、４５度±３０度以下である点が特定されているから、上記（３）で検討した本件発明１と同様の理由により、本件発明２−８は、甲７発明と実質的に同一であるとはいえない。
５　拡大先願（その２）
（１）甲８発明
　甲第８号証には以下の記載がある。
ア　「【００２６】
　図１に示す通り、本発明の多層透明基材３０は、例えば、タッチパネル装置１を構成するタッチパネルセンサー用フィルムとして用いることができる他、様々な表示装置において用いる各種の機能フィルムを構成する積層体の材料として広く用いることができるものである。ここでは、まず、多層透明基材３０について説明し、次に、
多層透明基材３０をタッチパネル用センサーフィルム３の基材として用いる
【００２７】
　＜多層透明基材＞
　図２は、多層透明基材３０の層構成を説明するための層構成の分離図面であり、多層透明基材３０を構成する第１の透明基材３０１と第２の透明基材３０２（以下、両者を併せて単に「透明基材３０１、３０２」とも言う。）と、を分離した状態で示した模式図である。
多層透明基材３０は、それぞれ所定のリタデーションを有する第１の透明基材３０１と、第２の透明基材３０２とを、第１の透明基材３０１の遅相軸ｒ１の方向と、第２の透明基材３０２の遅相軸ｒ２の方向とが、平面視上、直行する状態で積層したもの
イ　「【００３２】
　
第１の透明基材３０１と第２の透明基材３０２とは、いずれも、３０００ｎｍ以上のリタデーションを有する
【００３３】
　透明基材のリタデーションが３０００ｎｍ未満であると、これらを、その遅相軸が直行する状態において積層した多層透明基材とした場合であっても、タッチパネル装置１の表示画像に生じるニジムラを防止することはできない。一方、透明基材３０１、３０２のリタデーションの上限は特に限定されないが、３００００ｎｍ以下であることが好ましく、２００００ｎｍ程度であることよりが好ましい。３００００ｎｍを超えると、これ以上の表示画像のニジムラ改善効果の向上が見られず、又、膜厚が相当に厚くなるため好ましくない。
【００３４】
　そして、又、
相対的に大きいリタデーションを有する第１の透明基材３０１のリタデーションと、相対的に小さいリタデーションを有する第２の透明基材３０２のそれぞれのリタデーションの差は、３０００ｎｍ以上である
ウ　「【００４０】
　透明基材３０１、３０２を得る方法としては、上述したリタデーションを充足する方法であれば特に限定されないが、例えば、上記ＰＥＴ等のポリエステルからなる場合、材料のポリエステルを溶融し、シート状に押出し成形された未延伸ポリエステルをガラス転移温度以上の温度においてテンター等を用いて横延伸後、熱処理を施す方法が挙げられる。上記延伸温度としては、８０〜１３０℃が好ましく、より好ましくは９０〜１２０℃である。又、横延伸倍率は２．５〜６．０倍が好ましく、より好ましくは３．０〜５．５倍である。上記横延伸倍率が６．０倍を超えると、得られるポリエステルからなる透明基材の透明性が低下し易くなり、延伸倍率が２．５倍未満であると、延伸張力も小さくなるため、得られる透明基材の複屈折が小さくなり、リタデーションを３０００ｎｍ以上とできないことがある。
【００４１】
　又、本発明においては、二軸延伸装置を用いて、上記未延伸ポリエステルの横延伸を上記条件で行った後、該横延伸に対する流れ方向の延伸（以下、縦延伸とも言う）を行ってもよい。この場合、上記縦延伸は、延伸倍率が２倍以下であることが好ましい。上記縦延伸の延伸倍率が２倍を超えると、Δｎの値を上述した好ましい範囲にできないことがある。又、上記熱処理時の処理温度はしては、１００〜２５０℃が好ましく、より好ましくは１８０〜２４５℃である。」
エ　「【００５０】
　＜タッチパネル用センサーフィルム＞
　本発明の多層透明基材３０を用いた導電性積層体の好ましい一実施形態であるタッチパネル用センサーフィルム３について説明する。
【００５１】
　図１に示すように、多層透明基材３０、保護基材３３が、透明粘着層３４を介して積層されている。又、第１の透明基材３０１、第２の透明基材３０２のそれぞれの裏面側には、導電層３１１（Ｘ方向）、３１２（Ｙ方向）がそれぞれ形成されている。
…
【００５３】
　導電層３１１、３１２は、多層透明基材３０上、或いは、第１の透明基材３０１、３０２上に形成された透明導電材料層をパターニングするか、或いは、不透明な導電層をパターン形成することによって形成することができる。」
オ　「【００７４】
　＜タッチパネル装置＞
　上記説明したタッチパネル用センサーフィルム３や電磁波遮蔽フィルム３Ａの等の導電性積層体、或いは、反射防止フィルム３Ｂ等の光学積層体の少なくともいずれか一つを備えるタッチパネル装置は、いずれも本発明の表示装置の実施形態の一つ中である。以下、その中から、タッチパネル用センサーフィルム３を液晶ディスプレイ（ＬＣＤ）を備えるタッチパネル方式の表示装置に配置したタッチパネル装置１について説明する。
【００７５】
　図１に示すように、本発明のタッチパネル用センサーフィルム３を用いた表示装置の一例であるタッチパネル装置１は、透明表面基板２、
タッチパネル用センサーフィルム３
偏光板４、
液晶パネル６
この順序で配置された
…
【００８０】
　
バックライト８の一次光源
白色発光ダイオードは、連続的で幅広い発光スペクトルを有している
…
【００８４】
　尚、特にタッチパネル装置等の表示装置を、偏光サングラスの使用によって視認する必
要のある場合には、
多層透明基材３０の遅相軸の方向と、偏光板４の吸収軸とのなす角度が、４５°±３０°の範囲となるようにタッチパネル用センサーフィルム３と偏光板４が配設されたもの
カ　表１は以下のとおりである。
キ　図１は以下のとおりである。
　してみると、甲第８号証には、以下の発明が開示されている。
「バックライト８としての連続的で幅広い発光スペクトルを有している白色発光ダイオード、液晶パネル６、液晶パネルより視認側に配置される偏光板４、及び、偏光板４より視認側に配置されるタッチパネルセンサーフィルム３を有し、
　前記タッチパネルセンサーフィルム３は多層透明基材３０を有し、
　前記多層透明基材３０は、リタデーション３０００ｎｍ以上の透明基材３０１及び３０２を有し、
　多層透明基材３０の遅相軸の方向と、偏光板４の吸収軸とのなす角度が、４５°±３０°の範囲となるようにタッチパネル用センサーフィルム３と偏光板４が配設され、
　前記透明基材３０１及び３０２は、それぞれの遅相軸が互いに直交するように積層されており、かつ、透明基材３０１と透明基材３０２のリタデーションの差が３０００ｎｍ以上である、
　タッチパネルセンサー付きの液晶表示装置。」（以下「甲８発明」という。）
（２）対比（本件発明１と甲８発明）
　本件発明１と甲８発明を対比すると、両者は、
「（１）連続的な発光スペクトルを有する白色光源、
（２）液晶セル、
（３）前記液晶セルより視認側に配置される偏光子、及び
（４）前記偏光子より視認側に配置される２枚のフィルム、
を有し、
前記２枚のフィルムは、いずれも３０００ｎｍ以上１５００００ｎｍ以下のリタデーションを有する配向フィルムであり、
前記２枚の飛散防止フィルムは、互いに異なるリタデーションを有し、その差が３０００ｎｍ以上であり、
前記２枚のフィルムは、それぞれの配向主軸と前記偏光子の偏光軸とが形成する角が、４５度±３０度以下である、
画像表示装置（但し、前記２枚の飛散防止フィルムの配向主軸が形成する角が１度以下である画像表示装置を除く）。」
の点で一致し、以下の点で相違する。
相違点甲８−１：２枚のフィルムに関し、本件発明１は「透明導電層が積層された基材フィルム」と「前記基材フィルムよりも視認側に配置される飛散防止フィルム」であるのに対し、甲８発明ではタッチパネルを構成する「透明基材」である点
相違点甲８−２：２枚のフィルムに関し、本件発明１では、「リタデーション（Ｒｅ）と厚さ方向のリタデーション（Ｒｔｈ）の比（Ｒｅ/Ｒｔｈ）が０．２以上２．０以下であり」、「２枚のフィルムの配向主軸が形成する角が３０度以下である」のに対し、甲８発明では、リタデーション（Ｒｅ）と厚さ方向のリタデーション（Ｒｔｈ）の比（Ｒｅ/Ｒｔｈ）が不明であり、２枚のフィルムの配向主軸が直交する点。
相違点甲８−３：２枚のフィルムの配向主軸が形成する角に関し、本件発明１は、「３０度以下である」のに対し、甲８発明は、「互いに直交する」点。
（３）判断（本件発明１）
　相違点甲８−２、相違点甲８−３は、何れも、何れも実質的な相違点である。
　してみると、本件発明１は、甲８発明と実質的に同一であるとはいえない。
（４）本件発明２−８について
　本件発明２−８は、何れも、２枚のフィルムの配向主軸が形成する角に関し、「３０度以下である」、「９０度±１度以下である画像表示装置を除く」、「９０度±３度以下である画像表示装置を除く」等の特定事項を有する。これに対し、甲８発明は、「前記透明基材３０１及び３０２は、それぞれの遅相軸が互いに直交するように積層されており」と特定しており、２枚のフィルムの配向主軸が形成する角は９０度である。
　してみると、２枚のフィルムの配向主軸が形成する角が実質的に相違するから、本件発明２−８は、何れも甲８発明と実質的に同一ではない。
６　特許請求の範囲の記載不備（明確性要件）
　乙１号証（清水他監訳　ロングマン物理化学辞典　朝倉書店　１９９８年２月１０日　１５７頁　屈折率の項）によれば、「ふつう屈折率というときは、ナトリウムの橙色の光（λ＝５８９．３ｎｍ）での空気に対する値をいう」ものと解される。そして、リタデーションは、面内の屈折率の差と厚さで決まるから、リタデーションを測定した波長が記載されていないとしても、第三者が不測の不利益を受ける程度に特許請求の範囲の記載が不明確であるとはいえない。
第７　むすび　
　以上のとおり、本件発明１−４、６、７は、引用発明、技術常識１、２、周知技術、周知の技術課題と周知の解決手段に基づいて当業者が容易に発明をすることができたものであり、特許法第２９条第２項の規定により特許を受けることができない。したがって、本件発明１−４、６、７に係る特許は、特許法第１１３条第２号に該当し、取り消されるべきものである。
　また、本件発明５、８に係る特許については、取消理由通知に記載した取消理由及び特許異議申立書に記載した特許異議申立理由によっては、取り消すことはできない。さらに、他に本件発明５、８に係る特許を取り消すべき理由を発見しない。
　よって、結論のとおり決定する。
【異議決定日】
令和１年１２月１０日（２０１９．１２．１０）
【訂正の要旨】
審決（決定）の【理由】欄参照。
（５７）【特許請求の範囲】
　【請求項１】
　（１）連続的な発光スペクトルを有する白色光源、
　（２）画像表示セル、
　（３）前記画像表示セルより視認側に配置される偏光子、
　（４）前記偏光子より視認側に配置される、透明導電層が積層された基材フィルム、及び
　（５）前記基材フィルムよりも視認側に配置される飛散防止フィルム、
を有し、
前記基材フィルム及び前記飛散防止フィルムは、いずれも３０００ｎｍ以上１５００００ｎｍ以下のリタデーションを有する配向フィルムであり、
前記基材フィルム及び前記飛散防止フィルムの少なくとも一方は、リタデーション（Ｒｅ）と厚さ方向のリタデーション（Ｒｔｈ）の比（Ｒｅ／Ｒｔｈ）が０．２以上２．０以下であり、
前記基材フィルム及び前記飛散防止フィルムは
、互
９
あり
前記基材フィルムの配向主軸と前記偏光子の偏光軸とが形成する角は、４５度±３０度以下であり、
前記飛散防止フィルムの配向主軸と前記偏光子の偏光軸が形成する角は、４５度±３０度以下であり、
前記基材フィルムの配向主軸と前記飛散防止フィルムの配向主軸とが形成する角は、３０度以下である、
画像表示装置
（但し、前記基材フィルムの配向主軸と前記飛散防止フィルムの配向主軸とが形成する角が１度以下である画像表示装置を除く）
　【請求項２】
　（１）連続的な発光スペクトルを有する白色光源、
　（２）画像表示セル、
　（３）前記画像表示セルより視認側に配置される偏光子、
　（４）前記偏光子より視認側に配置される、透明導電層が積層された基材フィルム、及び
　（５）前記基材フィルムよりも視認側に配置される飛散防止フィルム、
を有し、
前記基材フィルム及び前記飛散防止フィルムは、いずれも３０００ｎｍ以上１５００００ｎｍ以下のリタデーションを有する配向フィルムであり、
前記基材フィルム及び前記飛散防止フィルムは、互いに異なるリタデーションを有し、その差が１
９
あり
前記基材フィルムの配向主軸と前記偏光子の偏光軸とが形成する角は、４５度±３０度以下であり、
前記飛散防止フィルムの配向主軸と前記偏光子の偏光軸が形成する角は、４５度±３０度以下であり、
前記基材フィルムの配向主軸と前記飛散防止フィルムの配向主軸とが形成する角は、３０度以下である、
画像表示装置
（但し、前記基材フィルムの配向主軸と前記飛散防止フィルムの配向主軸とが形成する角が３度以下である画像表示装置を除く）
　【請求項３】
　（１）連続的な発光スペクトルを有する白色光源、
　（２）画像表示セル、
　（３）前記画像表示セルより視認側に配置される偏光子、
　（４）前記偏光子より視認側に配置される、透明導電層が積層された基材フィルム、及び
　（５）前記基材フィルムよりも視認側に配置される飛散防止フィルム、
を有し、
前記基材フィルム及び前記飛散防止フィルムは、いずれも３０００ｎｍ以上１５００００ｎｍ以下のリタデーションを有する配向フィルムであり、
前記基材フィルム及び前記飛散防止フィルムの少なくとも一方は、リタデーション（Ｒｅ）と厚さ方向のリタデーション（Ｒｔｈ）の比（Ｒｅ／Ｒｔｈ）が０．２以上２．０以下であり、
前記基材フィルム及び前記飛散防止フィルム
は、互いに異なるリタデーションを有し、その差が
り、
前記基材フィルムの配向主軸と前記偏光子の偏光軸とが形成する角は、４５度±３０度以下であり、
前記飛散防止フィルムの配向主軸と前記偏光子の偏光軸が形成する角は、４５度±３０度以下である、
画像表示装置（但し、前記基材フィルムの配向主軸と前記飛散防止フィルムの配向主軸とが形成する角が１度以下である画像表示装置、及び前記基材フィルムの配向主軸と前記飛散防止フィルムの配向主軸とが形成する角が９０度±１度以下である画像表示装置を除く）
　【請求項４】
前記連続的な発光スペクトルを有する白色光源が、白色発光ダイオードである、請求項
１に
（但し、前記基材フィルムの配向主軸と前記飛散防止フィルムの配向主軸とが形成する角が５度以下である画像表示装置を除く）
　【請求項５】
前記連続的な発光スペクトルを有する白色光源が、白色発光ダイオードである、請求項２に記載の画像表示装置（但し、前記基材フィルムの配向主軸と前記飛散防止フィルムの配向主軸とが形成する角が２０度以下である画像表示装置を除く）。
　【請求項６】
　（１）連続的な発光スペクトルを有する白色光源、
　（２）画像表示セル、
　（３）前記画像表示セルより視認側に配置される偏光子、
　（４）前記偏光子より視認側に配置される、透明導電層が積層された基材フィルム、及び
　（５）前記基材フィルムよりも視認側に配置される飛散防止フィルム、
を有し、
前記基材フィルム及び前記飛散防止フィルムは、いずれも３０００ｎｍ以上１５００００ｎｍ以下のリタデーションを有する配向フィルムであり、
前記基材フィルム及び前記飛散防止フィルムは、互いに異なるリタデーションを有し、その差が３５００ｎｍ以上であり、
前記基材フィルムの配向主軸と前記偏光子の偏光軸とが形成する角は、４５度±３０度以下であり、
前記飛散防止フィルムの配向主軸と前記偏光子の偏光軸が形成する角は、４５度±３０度以下である、
画像表示装置（但し、前記基材フィルムの配向主軸と前記飛散防止フィルムの配向主軸とが形成する角が３度以下である画像表示装置、及び前記基材フィルムの配向主軸と前記飛散防止フィルムの配向主軸とが形成する角が９０度±３度以下である画像表示装置を除く）。
　【請求項７】
前記連続的な発光スペクトルを有する白色光源が、白色発光ダイオードである、請求項３に記載の画像表示装置（但し、前記基材フィルムの配向主軸と前記飛散防止フィルムの配向主軸とが形成する角が５度以下である画像表示装置を除く）。
　【請求項８】
前記連続的な発光スペクトルを有する白色光源が、白色発光ダイオードであり、前記基材フィルムの配向主軸と前記飛散防止フィルムの配向主軸とが形成する角は４５度以下である、請求項６に記載の画像表示装置（但し、前記基材フィルムの配向主軸と前記飛散防止フィルムの配向主軸とが形成する角が２０度以下である画像表示装置を除く）。